(57)【特許請求の範囲】
【請求項１】
ショーツ衣類（１１０）を製造するための連続的方法であって：
ａ．各々が二つの側縁（１１７、１１９、１２３、１２５、１５９、１６５、１７１、１７７）を含むファブリックの単層ウエッブ（１５１、１５３、１５５、１５７）を４個準備することと；
ｂ．前記４個のウエッブのうちの二つ（１５１、１５５）を、並行関係に配置することと；
ｃ．並行関係にある上記二つのウエッブ（１５１、１５５）の各々における一方の側縁（１５９、１７１）を一緒に接合して、股下継ぎ目の少なくとも一部と第一の複合ウエッブとを形成することと；
ｄ．前記４個のウエッブのうちの残りの二つ（１５３、１５７）を、並行関係に配置することと；
ｅ．並行関係にある上記残りの二つのウエッブ（１５３、１５７）の各々における一方の側縁（１６５、１７７）を一緒に接合して、股下継ぎ目の残りの部分の少なくとも一部と第二の複合ウエッブとを形成することと；
ｆ．前記第一および第二の複合ウエッブを、両者が対面した関係に整列させて、二つの複合ウエッブ（１５１、１５５：１５３、１５７）と、片側に位置する二つの側縁（１１７，１１９）と、他側に位置する二つの側縁（１２３、１２５）とを有する構造体を形成することと；
ｇ．前記二つの複合ウエッブ（１５１、１５５：１５３、１５７）を、該ウエッブの中央付近で、幅方向に間隔をもった２つの中間部分と長さ方向両端において該２つの中間部分が交わって閉領域を形成する両端部分とからなる接合（１８３，１８５）により接合して、内側にファブリックセクション（１９０）を囲む形状の中央継ぎ目（１８３，１８５）を複数個、長さ方向に間欠的に形成することと；
ｈ．前記内側のファブリックセクション（１９０）を除去して、人間の身体を収容する正面から背面への外形を有するキャビティーを形成することと；
ｉ．前記片側の側縁の対（１１７，１１９）を一緒に折り畳むことと；
ｊ．前記片側の側縁の対（１１７，１１９）を接合して、少なくとも一つの側部継ぎ目（１２７）および筒状脚部構造（１９２）を形成することと；
ｋ．前記他側の側縁の対（１２３、１２５）を一緒に折り畳むことと；
ｌ．前記他側の側縁の対（１２３、１２５）を接合して、少なくとももう一つの側部継ぎ目（１２９）およびもう一つの筒状脚部構造（１９４）を形成することと；
ｍ．前記ファブリックを切断して、各々が、少なくとも二つの側部継ぎ目（１２７，１２９）を、股下継ぎ目、二つの筒状脚部構造（１９２，１９４）、および一つのウエスト開口（１３４）を含む、個別の衣類サイズのファブリック片を形成すること
とからなることを特徴とする方法。
【請求項２】
ショーツ衣類（１１０）を製造するための連続的方法であって：
ａ．各々が二つの側縁（１１７、１１９、１２３、１２５、１５９、１６５、１７１、１７７）を含むファブリックの多層ラミネートウエッブ（１５１、１５３、１５５、１５７）を４個準備することと；
ｂ．前記４個のウエッブのうちの二つ（１５１，１５５）を、並行関係に配置することと；
ｃ．並行関係にある上記二つのウエッブ（１５１，１５５）の各々における一方の側縁（１５９，１７１）を一緒に接合して、股下継ぎ目の少なくとも一部と第一の複合ウエッブを形成することと；
ｄ．前記４個のウエッブのうちの残りの二つ（１５３，１５７）を、並行関係に配置することと；
ｅ．並行関係にある上記残りの二つのウエッブ（１５３，１５７）の各々における一方の側縁（１６５，１７７）を一緒に接合して、股下継ぎ目の残りの部分の少なくとも一部と第二の複合ウエッブを形成することと；
ｆ．前記第一および第二の複合ウエッブを、両者が対面した関係に整列させて、前記第一および第二の複合ウエッブ（１５１、１５５：１５３、１５７）と、片側に位置する一対の側縁（１１７，１１９）と、他側に位置する一対の側縁（１２３，１２５）とを有する構造体を形成することと；
ｇ．前記二つの複合ウエッブ（１５１、１５５：１５３、１５７）を、該ウエッブの中央付近で、幅方向に間隔をもった２つの中間部分と長さ方向両端において該２つの中間部分が交わって閉領域を形成する両端部分とからなる接合（１８３，１８５）により接合して、内側にファブリックセクション（１９０）を囲む形状の中央継ぎ目（１８３，１８５）を複数個、長さ方向に間欠的に形成することと；
ｈ．前記内側のファブリックセクション（１９０）を除去して、人間の身体を収容する正面から背面への外形を有するキャビティーを形成することと；
ｉ．前記片側の側縁の対（１１７，１１９）を一緒に折り畳むことと；
ｊ．前記片側の側縁の対（１１７，１１９）を接合して、少なくとも一つの側部継ぎ目（１２７）および筒状脚部構造（１９２）を形成することと；
ｋ．前記他側の側縁の対（１２３，１２５）を一緒に折り畳むことと；
ｌ．前記他側の側縁の対（１２３，１２５）を接合して、少なくとももう一つの側部継ぎ目（１２９）およびもう一つの筒状脚部構造（１９４）を形成することと；
ｍ．前記ファブリックを切断して、各々が、少なくとも二つの側部継ぎ目（１２７，１２９）、股下継ぎ目、二つの筒状脚部構造（１９２，１９４）、および一つのウエスト開口（１３４）を含む個別の衣類サイズのファブリック片を形成すること
とからなることを特徴とする方法。
【請求項３】
ショーツ衣類（１１０）を製造するための連続的方法であって：
ａ．各々が二つの側縁（１１７、１２３：１１９、１２５）を含むファブリックの単層ウエッブ（１５１，１５５：１５３，１５７）を２個準備することと；
ｂ．前記２個のウエッブ（１５１，１５５：１５３，１５７）を、両者が対面した関係に整列させて、二つのファブリック層と、片側に位置する一対の側縁（１１７，１１９）と、他側に位置する一対の側縁（１２３，１２５）とを有する構造体を形成することと；
ｃ．前記二つのウエッブ（１５１，１５５：１５３，１５７）を、該ウエッブの中央付近で、幅方向に間隔をもった２つの中間部分と長さ方向両端において該２つの中間部分が交わって閉領域を形成する両端部分とからなる接合（１８３，１８５）により接合して、内側にファブリックセクション（１９０）を囲む形状の中央継ぎ目（１８３，１８５）を複数個、長さ方向に間欠的に形成することと；
ｄ．前記内側のファブリックセクション（１９０）を除去して、人間の身体を収容する正面から背面への外形を有するキャビティーを形成することと；
ｅ．前記片側の側縁の対（１１７，１１９）を一緒に折り畳むことと；
ｆ．前記片側の側縁の対（１１７，１１９）を接合して、少なくとも一つの側部継ぎ目（１２７）および筒状脚部構造（１９２）を形成することと；
ｇ．前記他側の側縁の対（１２３，１２５）を一緒に折り畳むことと；
ｈ．前記他側の側縁の対（１２３，１２５）を接合して、少なくとももう一つの側部継ぎ目（１２９）およびもう一つの筒状脚部構造（１９４）を形成することと；
ｉ．前記ファブリックを切断して、各々が、少なくとも二つの側部継ぎ目（１２７，１２９）、股下継ぎ目、二つの筒状脚部構造（１９２，１９４）、および一つのウエスト開口を含む個別の衣類サイズのファブリック片を形成すること
とからなることを特徴とする方法。
【請求項４】
ショーツ衣類（１１０）を製造するための連続的方法であって：
ａ．各々が二つの側縁（１１７、１２３：１１９、１２５）を含むファブリックの多層ラミネートウエッブ（１５１，１５５：１５３、１５７）を２個準備することと；
ｂ．前記２個のウエッブ（１５１，１５５：１５３、１５７）を、両者が対面した関係に整列させて、二つの多層ラミネートファブリック層（１５１，１５５：１５３，１５７）と、片側に位置する一対の側縁（１１７，１１９）と、他側に位置する一対の側縁（１２３，１２５）とを有する構造体を形成することと；
ｃ．前記２個のウエッブ（１５１，１５５：１５３，１５７）を、該ウエッブの中央付近で、幅方向に間隔をもった２つの中間部分と長さ方向両端において該２つの中間部分が交わって閉領域を形成する両端部分とからなる接合（１８３，１８５）により接合して、内側にファブリックセクション（１９０）を囲む形状の中央継ぎ目（１８３，１８５）を複数個、長さ方向に間欠的に形成することと；
ｄ．前記内側のファブリックセクション（１９０）を除去して、人間の身体を収容する正面から背面への外形を有するキャビティーを形成することと；
ｅ．前記片側の側縁の対（１１７，１１９）を一緒に折り畳むことと；
ｆ．前記片側の側縁の対（１１７，１１９）を接合して、少なくとも一つの側部継ぎ目（１２７）および筒状脚部構造（１９２）を形成することと；
ｇ．前記他側の側縁の対（１２３，１２５）を一緒に折り畳むことと；
ｈ．前記他側の側縁の対（１２３，１２５）を接合して、少なくとももう一つの側部継ぎ目（１２９）およびもう一つの筒状脚部構造（１９４）を形成することと；
ｉ．前記ファブリックを切断して、各々が、少なくとも二つの側部継ぎ目（１２７，１２９）、股下継ぎ目、二つの筒状脚部構造（１９２，１９４）、および一つのウエスト開口（１３４）を含む個別の衣類サイズのファブリック片を形成すること
とからなることを特徴とする方法。
【請求項５】
ショーツ衣類を製造するための連続的方法であって：
ａ．ファブリックの単層ウエッブを準備することと；
ｂ．前記ファブリックのウエブを長さ方向に切断して、各々が２つの側縁を有する２つの単層ファブリックのウエブ（１５１，１５５：１５３，１５７）を形成することと；
ｃ．前記２個のウエッブを、両者が対面した関係に整列させて、二つのファブリック層と、片側に位置する一対の側縁（１１７、１１９）と、他側に位置する一対の側縁（１２３，１２５）とを有する構造体を形成することと；
ｄ．前記２個の複合ウエッブを、該ウエッブの中央付近で、幅方向に間隔をもった２つの中間部分と長さ方向両端において該２つの中間部分が交わって閉領域を形成する両端部分とからなる接合（１８３，１８５）により接合して、内側にファブリックセクション（１９０）を囲む形状の中央継ぎ目（１８３，１８５）を複数個、長さ方向に間欠的に形成することと；
ｅ．前記内側のファブリックセクション（１９０）を除去して、人間の身体を収容する正面から背面への外形を有するキャビティーを形成することと；
ｆ．前記片側の側縁の対（１１７，１１９）を一緒に折り畳むことと；
ｇ．前記片側の側縁の対（１１７，１１９）を接合して、少なくとも一つの側部継ぎ目（１２７）および筒状脚部構造（１９２）を形成することと；
ｈ．前記他側の側縁の対（１２３，１２５）を一緒に折り畳むことと；
ｉ．前記他側の側縁の対（１２３，１２５）を接合して、少なくとももう一つの側部継ぎ目（１２９）およびもう一つの筒状脚部構造（１９４）を形成することと；
ｊ．前記ファブリックを切断して、各々が、少なくとも二つの側部継ぎ目（１２７，１２９）、股下継ぎ目、二つの筒状脚部構造（１９２，１９４）、および一つのウエスト開口（１３４）を含む個別の衣類サイズのファブリック片を形成すること
とからなることを特徴とする方法。
【請求項６】
ショーツ衣類を製造するための連続的方法であって：
ａ．ファブリックの多層ラミネートウエッブを準備することと；
ｂ．前記ファブリックのウエブを長さ方向に切断して、各々が２つの側縁を有する２つの多層ラミネートファブリックのウエブ（１５１，１５５：１５３，１５７）を形成することと；
ｃ．前記２個のウエッブ（１５１，１５５：１５３，１５７）を、両者が対面した関係に整列させて、２個の多層ラミネートファブリック層（１５１，１５５：１５３，１５７）と、片側に位置する一対の側縁（１１７、１１９）と、他側に位置する一対の側縁（１２３，１２５）とを有する構造体を形成することと；
ｄ．前記２個のウエッブを、該ウエッブの中央付近で、長さ方向両端において該２つの中間部分が交わって閉領域を形成する両端部分とからなる接合（１８３，１８５）により接合して、内側にファブリックセクション（１９０）を囲む形状の中央継ぎ目（１８３，１８５）を複数個、長さ方向に間欠的に形成することと；
ｅ．前記内側のファブリックセクション（１９０）を除去して、人間の身体を収容する正面から背面への外形を有するキャビティーを形成することと；
ｆ．前記片側の側縁の対（１１７，１１９）を一緒に折り畳むことと；
ｇ．前記片側の側縁の対（１１７，１１９）を接合して、少なくとも一つの側部継ぎ目（１２７）および筒状脚部構造（１９２）を形成することと；
ｈ．前記他側の側縁の対（１２３，１２５）を一緒に折り畳むことと；
ｉ．前記他側の側縁の対（１２３，１２５）を接合して、少なくとももう一つの側部継ぎ目（１２９）およびもう一つの筒状脚部構造（１９４）を形成することと；
ｊ．前記ファブリックを切断して、各々が、少なくとも二つの側部継ぎ目（１２７，１２９）、股下継ぎ目、二つの筒状脚部構造（１９２，１９４）、および一つのウエスト開口（１３４）を含む個別の衣類サイズのファブリック片を形成すること
とからなることを特徴とする方法。
【請求項７】
請求項１から請求項６までのいずれか１項に記載した方法であって、前記個別の衣料サイズのファブリック片のうち、一つ置きのファブリック片を裏返しにして、前記個別の衣料サイズのファブリック片を重ねる前に同じ向きにすることを特徴とする方法。
【請求項８】
請求項１から請求項６までのいずれか１項に記載した方法であって、前記個別の衣料サイズのファブリック片のうち、一つ置きのファブリック片を他のファブリック片とは別に積み重ねることを特徴とする方法。
【発明の詳細な説明】
〔発明の背景〕
本発明は環境に優しく使い捨て可能な衣類、より具体的には、運動着および水着として有用であると共に、排泄物の封じ込めおよび吸収を提供するために適用できる使い捨て衣類に関する。本発明は衣類の製造方法、より具体的には、ショーツまたはズボンを製造するための、コスト効果が高く且つ製造速度の高い方法に関する。
現在、使い捨て可能な排泄物閉じ込め衣類は、成人ケア、乳幼児ケアおよび小児ケアの領域において広範な用途が見出されており、一般に、再使用可能な布製の衣類に取って代わってきている。例えば、使い捨てオムツは特定のニーズに合致し、非常にポピュラーになってきた。使い捨てのトレーニングパンツもまた特定のニーズに合致しており、ポピュラーになってきている。運動着および水着については、一つの問題が存在する。運動着および水着は何れも、排泄物の封じ込めに適合するように設計されていない。更に、現在の運動着および水着の設計は、水泳および他の運動の際に排泄物をその場に閉じ込めておくことはない。
ズボンまたはショーツの構成には、典型的には布または織物のような複数のファブリック片を使用する多段階プロセスが用いられる。ファブリック片が、ファブリックの大きな反物から特定の形状に切り取られる。これらのファブリック片を一緒に縫合して、仕上げられた衣類を形成する。このプロセスには労力および時間を要する。
小児のよだれ掛け、カバーオール、または実験ガウンのような使い捨て衣類の領域では、より連続的なプロセスが用いられる。紙またはプラスチックのような材料をロールから引き出す。この材料に、戦略的に配置されたカット部分を形成し、頭部開口、腕部開口、または脚部開口を形成する。しかし、これら使い捨て衣類は、運動着のために必要な設計および耐久性において幾つかの限界を有している。
〔発明の概要〕
従って、遊戯、水泳、および水泳に行く移動の最中に、尿および糞便の漏れを最小限にすると共に、運動している間は糞便の閉じ込めを維持する改善された運動着および水着を提供する必要性が存在している。
従って、洗濯可能ない類および使い捨ての衣類を含む、衣類を製造するための改善された方法を提供する必要性が存在している。また、快適で且つ安価な運動着または水着を提供する必要性が存在している。加えて、この衣類は着用が容易で、着用に際して耐久性であることを必要とする。この必要性に対応するために、ショーツおよびズボンを製造するための、コスト効果が改善された高速のプロセスが見出された。
本発明による排泄物閉じ込め衣類は、長手軸および長手方向に離間した両端部を有する排泄物閉じ込め構造体、および対向したウエスト領域を形成するカバーを含む。この排泄物閉じ込め構造体は、吸収性コア、バックシート、および該構造体を正しい位置に保持するために、ウエスト領域に配置された弾性メンバーを具備する。該弾性メンバーは、前記カバーに機能的に結合される。しかし、排泄物閉じ込め構造体は、カバーに応答して移動に抵抗する一方、正しい位置に好適に留まることができる。
本発明は、二つの側縁、これら側縁の間に位置するウエスト領域およびその反対側の底部縁を有する正面パネルと、並びに二つの側縁、これら側縁の間に位置するウエスト領域およびその反対側の底部縁を有する背面パネルとを有するスカートカバーを具備する。この衣類はまた、長手方向に離間し且つ長手方向端部で終端する正面ウエストバンド領域および背面ウエストバンド領域、この正面ウエストバンド領域と背面ウエストバンド領域との間の股領域、並びに一対の側部パネルを有するパンツ構造体を具備する。該パンツ構造体は、一つのウエスト開口、二つの脚部開口、およびウエスト弾性メンバーを含んでおり、前記スカートカバーにおける前記正面パネルのウエスト領域および前記背面パネルのウエスト領域は、前記正面ウエストバンド領域および前記背面ウエストバンド領域に対して再結合不能に結合されており、これらウエストバンド領域は、前記パネルと該ウエストバンド領域との間に配置された前記ウエスト弾性メンバーを有する。
本発明のもう一つの側面において、三次元の排泄物閉じ込め衣類は、排泄物閉じ込め構造体およびカバーを含む。完全なカバーは、外表面および反対側の内表面を有し、また少なくとも一つのウエスト開口を形成する。該カバーは、ウエスト開口の少なくとも一部において、前記排泄物閉じ込め構造体に接合される。当該衣類の排泄物閉じ込め構造体は、長手軸、対向する長手方向に離間した端部、およびこれら端部間に伸びる側縁を有している。排泄物閉じ込め構造体は、液体透過性のライナー、該ライナーに取り付けられたバックシート、および前記ライナーとバックシートの間にサンドイッチされた吸収性コアを含んでいる。カバーは、排泄物閉じ込め構造体の端部に弾性的に連結されている。
本発明の一実施例は、ウエスト開口および二つの脚部開口を形成する外表面および対向する内表面を具備した、下半身の周囲に着用されるショーツまたはズボンを製造するための連続的方法である。本発明は、単一の連続的なプロセスにおいて、少なくとも一つのファブリックウエッブを組み合わせることにより、ショーツまたはズボンを作製する。継ぎ目は、超音波、ヒートシール、接着剤、テープ、または縫合を使用することによって達成することができ、これらの手段は夫々、当該プロセスに対して独特の変形を与える。
本発明はショーツ衣類を製造するための連続的方法に関するものであり、該方法は、
ａ．ファブリックの各ウエッブに二つの側縁が含まれる、ファブリックの四つの単層ウエッブを準備することと；
ｂ．前記四つのウエッブのうちの二つを、並行した向きに配置することと；
ｃ．この二つの各ウエッブにおける一方の側縁を並行した向きで一緒に接合して、股下継ぎ目の少なくとも一部および第一の複合ウエッブを形成することと；
ｄ．前記四つのウエッブのうちの残りの二つを、並行した向きに配置することと；
ｅ．この二つの各ウエッブにおける一方の側縁を並行した向きで一緒に接合して、股下継ぎ目の少なくとももう一つの部分および第二の複合ウエッブを形成することと；
ｆ．前記第一および第二の複合ウエッブを、両者が対面した向きに整列させて、二つのファブリック層、二つの頂部側縁および二つの底部側縁を有する配置を形成することと；
ｇ．前記二つの複合ウエッブを間欠的に接合し、その際に、該接合はウエッブの中央付近で交互に変化する向きで達成され、特定の形状を有する中央継ぎ目およびその内側のファブリック部分が形成されることと；
ｈ．前記内側のファブリック部分を除去して、人間の身体を収容する正面から背面への外形を有するキャビティーを形成することと；
ｉ．前記側縁の一方の対を一緒に折り畳むことと；
ｊ．前記側縁の対を接合して、少なくとも一つの側部継ぎ目および筒状脚部構造を形成することと；
ｋ．前記側縁の他方の対を一緒に折り畳むことと；
ｌ．前記側縁の他方の対を接合して、少なくとももう一つの側部継ぎ目およびもう一つの筒状脚部構造を形成することと；
ｍ．前記ファブリックを切断して、個別の衣類サイズのファブリック片を形成し、その際、個々のファブリック片は、少なくとも二つの側部継ぎ目、股下継ぎ目、二つの筒状脚部構造、および一つのウエスト開口を含むこととを具備する。
本発明の多くの特徴および利点が、以下の説明から明らかになるであろう。その説明において、本発明の望ましい実施例を図示した添付の図面が参照される。このような実施例は本発明の全範囲を表すものではない。従って、本発明の完全な範囲を解釈するためには、後述の請求の範囲を参照すべきである。
【図面の簡単な説明】
添付の図面と共に、本発明の以下の説明を参照することにより、本発明の上記特徴および他の特徴、並びにこれらを達成する方法、更には本発明それ自身がより良く理解されるであろう。
図１は、本発明の実施例を典型的にに表すスカートカバーおよびパンツ構造体の正面図である。
図２は、本発明の実施例を典型的に表すスカートカバーおよびパンツ構造体の一部を切り欠いて示す正面図である。
図３は、排泄物閉じ込め構造体の断面図である。
図４は、本発明の一実施例を典型的に表すトランクスカバーおよびパンツ構造体の正面図である。
図５は、本発明の実施例を典型的に表すトランクスカバーの一部を切り欠いて示す正面図である。
図６は、排泄物閉じ込め構造体の断面図である。
図７は、本発明によって製造された排泄物閉じ込め構造体を有する衣類を一部切り欠いて示す正面図である。
図８は、本発明の一実施例を図解して示す図である。
〔定義〕
この明細書において、下記の語句は次の意味を包含するものとする。
（ａ）「接合された」とは、二つの要素の結合、接着、連結または付着などを言う。二つの要素は、それらが他方に対して相互に直接的に接合され、または間接的に接合される（例えば、夫々が中間要素に対して直接接合される）ときに、両者は一緒に接合されるとみなされるであろう。
（ｂ）「接合カード処理ファブリックまたはウエッブ」とは、結合装置またはカード処理装置を通して送給される短繊維から製造されたファブリックまたはウエッブを言う。前記装置は、前記短繊維を分離して機械方向に整列させ、一般的に機械方向に配向した繊維の不織ウエッブを形成するものである。通常、このような繊維はベイル（bale）の形態で購入され、該ベイルは、カード処理装置にかける前に繊維を分離するためにピッカー上に配置される。ウエッブまたはファブリックが形成されたら、これを幾つか公知の接合法のうちの一以上によって接合する。このような接合法が粉末接合であるときは、粉末状の接着剤をウエッブまたはファブリックの全体に散布し、次いで、通常は熱空気を用いてファブリックおよび接着剤を加熱することにより活性化させる。もう一つの適切な接合法はパターン接合であり、この場合は、加熱されたカレンダロールまたは超音波接合装置を用いて、通常は局部的な接合パターンで繊維を一緒に接合する。しかし、所望のときは、繊維をその全表面に亘って接合することもできる。特に二成分短繊維を用いる場合のもう一つの適切な周知の接合法は、スルーエア接合である。
（ｃ）「交差機械方向」とは、一般的に機械方向に対して直交する方向を言う。
（ｄ）「使い捨て」とは、使用後に処分され、洗濯して再使用することを意図しないものを含むものである。
（ｅ）「配置された」、「〜上に配置された」、「〜と共に配置された」、「〜に配置された」、「近傍に配置された」およびこれらの変形表現は、一つの要素がもう一つの要素と一体的または一つのものであり得ること、或いは、一つの要素がもう一つの要素に結合もしくは連結され、またはこれと共に配置され若しくはその近傍に配置されており、両者は別の構造体であり得ることを意味する。
（ｆ）「弾性」および「弾性的」とは、当該材料の変形を生じる力を除去した後に、実質的にその元の寸法および形状を回復する傾向がある材料の特性を含むものである。
（ｇ）「弾性的に結合された」および「弾性的に結合している」とは、二つの要素が弾性部材によって分離され、または弾性部材に結合しており、該弾性部材の伸張によって前記二つの要素の相対的位置が変化し得ることを言う。
（ｈ）「伸び」とは、伸張する前の材料の長さに対する当該材料の伸張の比率を含むものである。
（ｉ）「伸張」、「伸張する」および「伸張した」とは、引張りによる当該材料の長さの変化を含むものである。「伸張」は長さの単位で表される。
（ｊ）「ファブリック」とは、織られたウエッブ、編まれたウエッブおよび不織ウエッブの全てを言うために用いられる。
（ｋ）「可撓性の」とは、従順で、個人の身体の一般的形状および凹凸に対して容易に従う材料またはファブリックを言う。
（ｌ）「力」とは、一つの物体が他の物体に対して作用する物理的影響であって、自由に運動する物体に加速度を生じさせ、また自由に動かない物体の変形を生じさせる物理的影響を含むものである。力は、グラム力で表される。
（ｍ）「予め短縮された」および「予め短縮している」とは、次のステップの前に予め短縮することを含むものである。
（ｎ）「正面」および「背面」の語は、着用者に着用されたときの衣類の位置を示唆するのではなく、衣類自身に対する関係を言うために使用される。
（ｏ）「ギャザー形成性の」材料とは、張力下の網状ウエッブに結合されると、張力を開放したとき、網状ウエッブの収縮に適応するために皺が寄り、襞またはギャザーを形成する材料である。
（ｐ）「機械方向」とは、それが製造される方向、または機械の動作方向に移動するファブリックの長さ方向を意味する。
（ｑ）「メルトブロー繊維」とは、溶融した熱可塑性材料を微細な、通常は円形の複数のダイキャピラリーを通して、収斂する高速ガス、通常は熱ガス（例えば空気）の流れの中に溶融糸または溶融繊維として押し出し、該溶融した熱可塑性材料の繊維を細くして、その直径を微細繊維の直径にまで小さくすることにより形成される繊維を言う。その後、このメルトブロー繊維は該高速ガス流によって搬送され、集積表面上に堆積されて、ランダムに分配されたメルトブロー繊維のウエッブを形成する。このようなプロセスは、例えばBulin等に付与された米国特許第3,848,241号に開示されている。メルトブロー繊維は、連続または不連続な微細繊維であり、一般に平均直径は10ミクロン未満であり、集積表面に堆積した時には一般に粘着性である。
「メンバー」の語は、単数で用いるときは、一つの要素または複数の要素の二つの意味を有し得る。
「多層ラミネート」の語は、スパンボンド／メルトブロー／スパンボンド（SMS）ラミネート、並びにBrock et alに付与された米国特許第4,041,203号、Collier er alに付与された米国特許第5,169,706号、Potts et alに付与された米国特許第5,145,727号、Perkins et alに付与された米国特許第5,187,931号、およびTimmons et alに付与された米国特許第5,188,886号に開示されているように、幾つかの層はスパンボンド層で幾つかの層はメルトブロー層であるラミネートを意味する。このようなラミネートは、移動する成形ベルト上に、先ずスパンボンドファブリック層、次いでメルトブローファブリック層、最後にもう一つのスパンボンドファブリック層を連続的に堆積し、次いで、以下に記載するようにして該ラミネートを接合することにより製造することができる。或いは、これらのファブリック層を個別的に製造してロールに回収し、次いで別の接合ステップで合体してもよい。このようなファブリックは、通常は約0.1〜12osy（6〜400gsm）、特に約0.75〜約3osyの基礎重量（坪量）を有する。多層ラミネートはまた、多くの異なった形態で種々の数のメルトブロー層または複数のスパンボンド層を有することができ、また、フィルムまたは適合性材料のような他の材料を含んでいてもよい。
（ｔ）「ネッキング性材料」とは、幅を狭めることができる何れかの材料を意味する。
（ｕ）「ネッキングされた材料」とは、例えば、引寄せまたは襞付けのようなプロセスによって、少なくとも一つの方向で収縮された何れかの材料を言う。
（ｖ）「非弾性的」または「無弾性的」とは、「弾性的」の定義に入らない何れかの材料を言う。
（ｗ）「不織ファブリックまたは不織ウエッブ」とは、中間に配置された個々の繊維もしくは糸の構造を有するが、編まれたファブリックにおけるようには認識されないウエッブを意味する。不織ファブリックまたは不織ウエッブは、例えば、メルトブロープロセス、スパンボンドプロセス、および接合カード処理ウエッブプロセスのような多くの方法で形成されている。不織ファブリックの基礎重量は、通常は1平方ヤード当たりの材料のオンス数（osy）または1平方メータ当たりのグラム数（gsm）で表され、繊維直径は通常はミクロンで表される。
（ｘ）弾性メンバーの他の要素への取り付けに関して、「機能的に接合され」の語句は、該弾性メンバーが、当該要素に付着もしくは連結されたとき、または当該要素と共に熱処理されたときに、当該要素に対して弾性を与えることを意味する。非弾性メンバーを別の要素に取り付ける場合について言うとき、この語句は、接合材の所期の機能もしくは所望の機能を奏する何れか適切な方法で、該メンバーおよび要素を結合できることを意味する。接合、付着、連結、またはリンクは、当該メンバーを要素に直接結合するような直接的なものであることができ、または、第一のメンバーと第一の要素との間に配置された別のメンバーまたは要素を用いた間接的なものであってもよい。
（ｙ）「パターン」とは、如何なる幾何学的または非幾何学的形状をも含むものであり、中でも、一連の連結されまたは連結されない直線もしくは曲線、一連の平行もしくは非平行な、または交差する直線もしくは曲線、一連の直線若しくは波線、またはこれらの組み合わせを含むものである。このパターンは、反復形および／または非反復形を含むことができる。
（ｚ）「透過性」とは、使用中のおむつ／パンツにおいて通常に遭遇する条件下で、材料の層が、検出可能な量の液体を通過または輸送できることを意味する。
（ａａ）「多孔性」とは、使用中のおむつ／パンツにおいて通常に遭遇する条件下で、材料の層が、測定可能な量の液体を通過または輸送できることを意味する。
（ｂｂ）「断裂（rapture）」とは、材料の破損または引き裂けを含むものである。張力試験において、断裂とは、二つの部分への全体的な、突然のまたは段階的な材料の分離、或いは幾つかの材料における孔の発生を言う。
（ｃｃ）「ストレッチボンドされた」とは、弾性ストランドが、その弛緩した長さの少なくとも約25パーセント伸張しながら、もう一つのメンバーに接合された弾性ストランドを言う。望ましくは、「ストレッチボンドされた」とは、弾性ストランドが他のメンバーに接合されるときに、その弛緩した長さの少なくとも約100パーセント、より望ましくは約300パーセント伸張される状況を言う。
（ｄｄ）「ストレッチボンドラミネート」（「SBL」）とは、少なくとも二つの層を有し、その一つの層はギャザー形成層であり、他の層は伸縮性、即ち弾性層である複合材料を言う。これらの材料は、伸縮性層が弛緩したときにギャザー形成層がギャザーを形成するように、伸縮性層が伸張した状態にあるときに一緒に接合される。
（ｅｅ）「スパンボンド繊維」とは、溶融した熱可塑性繊維を複数の微細な、通常は円形の、押し出しフィラメントの直径をもったキャピラリーまたは紡糸口金からフィラメントとして押し出し、次いで、例えばAppel et al.に付与された米国特許第4,340,563号、Dorschnst et al.に付与された米国特許第3,682,618号、Matsuki et al.に付与された米国特許第3,802,817号、Kinneyに付与された米国特許第3,338,992号および同第3,341,394号、Hartmanに付与された米国特許第3,502,763号、およびDodo et al.に付与された米国特許第3,542,615号の方法で、急速に細く（reduce）することにより形成される小径の繊維を言う。スパンボンド繊維は、一般に、集積表面上に堆積したときに粘着性ではない。スパンボンド繊維は、一般には連続繊維であり、７ミクロンより大きい平均直径（少なくとも10のサンプルから計算）、特に約10ミクロン〜20ミクロンの平均直径を有している。
（ｆｆ）「張力」とは、物体の伸張または該伸張に抵抗する物体内のバランス力を生じる傾向をもった、短軸方向の力を含むものである。
（ｇｇ）「二次元の」とは、如何なる構造も破壊的に引き裂かないで、平坦な状態に広げることができるおむつのような衣類について言う。このタイプの衣類は、開いて平坦にしたときに連続的な脚部開口およびウエスト開口を有しておらず、また該衣類を着用者の周りに取りつけるために、粘着テープのような固定器具を必要とする。
（ｈｈ）「三次元の」とは、衣類を作る材料で境界を付された連続した脚部開口およびウエスト開口を有する点において、ショーツまたはパンツと同様である仕上げられた衣類を言う。このタイプの衣類は、手で分断することができる継ぎ目を有していてもよく、有してなくてもよい。
（ｉｉ）「最終伸び」とは、断裂点での伸びを含むものである。
これらの定義は制限的であることを意図したものではなく、またこれらの用語は、明細書の他の部分では追加の言葉で定義される場合もあり得る。
〔望ましい実施例の説明〕
図１および図２に示す本発明の衣類10（パンツとスカートの組み合わせ）は、パンツ構造体12およびスカートカバー14を含んでいる。衣類10は、水着または野外運動着に類似するように意図されている。同時に、衣類10は、排泄された物質を受け取って収容用意するように配置された排泄物閉じ込め構造体42を含むパンツ構造体12と共に、スカートカバー14が着用者のウエスト周囲の正しい位置に確実に止まるように組み立てることができる。この衣類10は種々の方法で製造または組み立てることができ、そのうちの一つは、本明細書の一部をなす参照として本願に組み込まれる1993年3月25日に出願された米国特許出願第043,132号に記載されている。他のパンツ設計は、米国特許第4,938,757号、同第4,747,846号および同第4,940,484号に記載されており、これら３件の特許の内容は本願明細書の一部として本願に組み込まれる。
スカートカバー14は、対向する内側表面11および外側表面13を含んでいる。スカートカバー14は、正面パネル15および背面パネル21から作られている。正面パネル15は、側縁17および18の対と、この側縁17および18の間に配置された対向するウエスト領域31および底部縁39を有している。背面パネル21は、側縁23および25と、この側縁23および25の間に配置された対向するウエスト領域33および底部縁41を有している。正面パネル15および背面パネル21は、衣類10の側部で重なり部分を形成するように延出していてもよく、そうでなくてもよい。
本発明の望ましい実施例において、側縁17,19,23および25は一緒に結合または固定されることなく、ツーピーススカートカバー14を形成する。本発明のもう一つの実施例では、側縁17は、側部継ぎ目87で側縁23に結合または固定され、また側縁19は側部継ぎ目98で側縁25に結合または固定されて、ワンピーススカートカバー14を形成する。
側縁17,19,23および25、並びに底部縁39および41は縁取りすることができる。製造をより容易にするためには、側縁17,19,23および25、並びに底部縁39および41は縁取りしないままにして、機械での切り離しを容易にする。
本発明の幾つかの実施例において、側部継ぎ目87および89は、再固定不能である。再固定不能な継ぎ目87および89は、超音波シール、接着剤接合、ヒートシール等の何れか適切な手段によって形成することができる。この容易な継ぎ目を形成する一つの適切な方法は、1990年7月3日に発行されたVan Gompel et al.の米国特許第4,938,763号に開示されており、この特許は本明細書の一部として本願に組み込まれる。図２に最も明瞭に図示されているように、側部パネル26および28の再固定不能な継ぎ目27および29を一緒に接合して、手で裂断可能な、再固定不能な継ぎ目27および29を形成してもよい。こうして、パンツ構造体12には、ウエスト開口34および脚部開口30および32が形成される（図１および図２）。
本発明の他の実施例において、側部継ぎ目87および89は再固定可能である。側縁17,19,23および25を固定するための再固定可能な手段には、接着性ファスナーおよび機械的ファスナー96が含まれる。機械的ファスナーにはボタン、ボタン孔、スナップ、バックル、クラスプ、フックおよびループ、端部延設、タブ等が含まれ、これらはスカートカバー14の内表面11もしくは外表面13上のある種の相補的器具に結合するように設計または適合されている。加えて、衣類のより良好な適合性を得るために、伸縮性のファスナーも使用することができる。
パンツ構造体12（図３参照）は、正面および背面の長手方向に離間したウエストバンド領域20および22が含まれており、これらはパンツ構造体12の長手方向端部35および37において終端している。股領域24は、正面ウエストバンド領域20と背面ウエストバンド領域22との間に位置している。左側部パネル26および右側部パネル28は、正面ウエスト領域20と背面ウエスト領域22との間に広がっている。パンツ構造体12は、排泄物閉じ込めセクション42を含んでいてもよい。排泄物閉じ込め構造体42は、バックシート58、身体側ライナー56、吸収性コア80、並びに側部パネル26および28を含むことができる。幾つかの実施例において、排泄物閉じ込め構造体42には閉じ込めフラップ64および66が含まれる。
側部パネル26および28（これらは弾性要素を含んでいてもよく、含まなくてもよい）は、継ぎ目27および29の近傍において超音波接合され、構成材料が手で分断可能な再固定不能領域を与えるように形成される。この側部パネル26および28には、弾性材料の層またはSBLを組み込んだ弾性要素を結合することができる。
また、パンツ構造体12は、股領域24に機能的に接合された脚部弾性体36および38を含んでいる。これら脚部弾性体36および38は、側部パネルの縁部26および28、並びに股領域24におけるパンツ構造体12または排泄物閉じ込め構造体42の長手方向縁部80および82に沿って配置される。脚部弾性体36および38は、パンツ構造体12（結局、排泄物閉じ込め構造体42が存在するときは該構造体）を着用者の身体に対して保持し、または着用者の脚部回りにシール若しくはガスケットを形成するのを補助する。
脚部弾性体36および38は、パンツ構造体12の長手方向端部に沿って、カバー材料にストレッチボンドすることができる。ウエスト弾性体43および45は、パンツ構造体12における正面および背面のウエストバンド領域20および22に伸縮性をもたせる。その後、パンツ構造体12がウエスト開口34および一対の脚部開口30および32を形成するように、各側部パネル26および28は、継ぎ目27および29によって一緒に接合される。
パンツ構造体12およびスカートカバー14は、衣類10のウエスト部において結合される。パンツ構造体12におけるウエストバンド領域20および22の長手方向端部35および37は、ウエスト領域31および33に結合される。ウエスト弾性メンバー43および45は、長手方向端部35および37とウエスト領域31および33との間に配置される。
ウエスト弾性メンバー43および45は、スカートカバー14のウエスト領域31および33、並びにパンツ構造体12のウエストバンド領域20および22にストレッチボンドすればよく、或いは、弛緩した状態で、パンツ構造体12のウエストバンド領域20および22のギャザー部分、並びにスカートカバー14のウエスト領域31および33のギャザー部分に結合すればよい。ウエスト弾性体43および45を取り付けるために適した一つの方法は、Ales et al.に付与された1987年2月7日発行の米国特許第4,639,948号に開示されており、この特許は本明細書の一部として本願に組み込まれる。
望ましくは、ウエスト弾性メンバー43および45は、間に弾性体を配置した少なくとも二つのスパンボンド層で製造される。長手方向端部35および37、ウエスト領域31および33、並びにウエスト弾性メンバー43および45は、望ましくは接着剤によって一緒に接合されるが、上記の他の接合方法を利用することもできる。スカートカバー14のウエスト領域31および33は、ウエスト開口24の全体またはその一部の周囲でパンツ構造体12に取り付ければよい。
長手方向端部35および37並びにウエスト領域31および33は、ウエスト弾性メンバー43および45の頂部縁または頂部縁の近傍で終端する。これは、長手方向端部35および37並びにウエスト領域31および33を、同時に切除することを可能にする。
衣類10は、排泄物取り込め構造体42を含むことができる。図２を参照すると、図示の排泄物閉じ込め構造体42は、バックシート58、実質的に液体透過性の身体側ライナー56、およびバックシート58と身体側ライナー56の間にサンドイッチされた吸収性コア60を含んでいる。バックシート58および身体側ライナー56は、バックシート58およびライナー56の周縁が超音波接合、熱接合、接着剤、または他の適切な手段を用いて一緒にシールし得るマージンを形成するように、吸収性コア60よりも長く且つ広いのが望ましい。吸収性コア60は、超音波接合、接着剤、または他の適切な手段を用いて、バックシート58および／または身体側ライナー56に取りつければよい。
排泄物閉じ込め構造体42はまた、排泄物の取り込み、分配および貯蔵を補助するために、追加の成分を含むことができる。例えば、排泄物閉じ込め構造体42は、Mayer et al.に付与された1989年1月17日発行の米国特許第4,798,603号に記載のような輸送層、1993年5月5日に公開されたヨーロッパ特許出願EP 0 539 703 A1に記載されているようなサージ取扱い層を含むことができる。これらの特許は、本明細書の一部をなす参照として本願に組み込まれる。
排泄物閉じ込め構造体42は、身体側ライナーおよびバックシートの材料を供給し、個々の吸収性コア60を、バックシート58と身体側ライナー56の間にサンドイッチすることによって構築することができる。吸収性コア60の外側にあるバックシート58および身体側ライナー56の側部周縁は、側部パネル材料と一緒に接合して、シールすることができる。次いで、個々の排泄物閉じ込め構造体42を、バックシートおよび身体側ライナー材料の連続供給体から切り出すことができる。この排泄物閉じ込め構造体42は、任意に、Ｔ字形、Ｉ字形、砂時計形、または不規則形状であってよい。
吸収性コア60は、セルロース繊維および合成ポリマー繊維の混合物で構成される、順応性材料からなることができる。例えば、この順応性材料は、セルロース木材繊維およびメルトブローポリオレフィン繊維（例えばポリエチレン繊維またはポリプロピレン繊維）の空気搬送堆積ブレンドからなることができる。吸収性コア60は、順応性材料のみ、または超吸収性材料および順応性材料と他の吸収性または非吸収性材料との組み合わせからなることができる。
順応性材料は、セルロース木材繊維と、ポリエチレン繊維またはポリプロピレン繊維のようなメルトブローポリオレフィン繊維との空気堆積ブレンドからなっていてもよく、またはセルロース繊維のバット（batt）（即ち木材パルプ綿毛）からなっていてもよい。任意に、乾燥した環境に置かれたときの液体取り込みを補助するために、吸収性コア60を表面活性剤で処理してもよい。本発明の特定の実施例において、吸収性コア60は、乾燥したときに約1.25cm以下のバルク厚さを有する。親水性繊維およびポリマーストランドは、繊維：ポリマーの比が80:20未満、例えば約30:70〜約80:20、望ましくは約60:40〜70:30になるように提供される。
吸収性コア60については、コアの吸収性を増大する化合物が効果的な量で含められ、該化合物は有機もしくは無機の高吸収性材料であり得る。例えば、吸収性コア60は、0〜5重量パーセント、望ましくは1％未満の高吸収性材料を含むことができる。適切な無機高吸収性材料には、例えば吸収性粘土およびシリカゲルが含まれる。
有機高吸収性材料は、ペクチン、グアーガムおよび草炭のような天然材料、並びに合成ヒドロゲルポリマーのような合成材料を含むことができる。このようなヒドロゲルポリマー類には、例えばカルボキシメチルセルロース、ポリアクリル酸のアルカリ金属塩、ポリアクリルアミド、ポリビニルアルコール、エチレン／無水マレイン酸コポリマー、ポリビニルエーテル、ヒドロキシプロピルセルロース、ポリビニルモルホリノン、硫酸ビニルのポリマーおよびコポリマー、ポリアクリレート、ポリアクリルアミド、ポリビニルピリジン等が含まれ得る。他の適切なポリマーには、加水分解されたアクリロニトリルグラフト澱粉、アクリル酸グラフト澱粉、イソブチレン／無水マレイン酸コポリマー、およびこれらの混合物が含まれ得る。
ヒドロゲルポリマー類は、該物質を実質的に水不溶性にするために、望ましくは十分に架橋される。架橋は、例えば放射線照射、共有結合、イオン結合、ファンデルワールス結合または水素結合によって行えばよい。適切な材料は、ダウケミカルカンパニー（Dow Chemical Company）社、Hoechst-Celanesa Corporation社、およびAllied-Colloid社のような種々の商業的販売業者から入手可能である。典型的には、高吸収性材料は、水中でその重量の少なくとも約15倍を吸収することができ、望ましくは水中でその重量の約25倍以上を吸収することができる。
高吸収性材料は、種々の技術を用いて吸収性コア60の中に分布させ、或いはその中に組み込むことができる。例えば、高吸収性材料は、吸収性コア60を構成する繊維間に実質的に均一に分布させることができる。また、該材料を吸収性コア60の繊維内で不均一に分布させて、一般に連続的な勾配を形成し、バックシート58から内側に向かって変化する該材料の濃度を見たときに、高吸収性材料の濃度が増大または減少するようにすることができる。或いは、高吸収性材料は、吸収性コア60の繊維材料から分離した別個の層を構成することができ、または吸収性コア60と一体の別個の層を構成することができる。
また、吸収性コア60は、繊維状コアの一体性の維持を補助するラップ層（図示せず）を含んでいてもよい。このラップ層は、ポリプロピレン、ポリエチレン、ポリエステル等の合成ポリマーフィラメント、またはレーヨンもしくは綿のような天然ポリマーフィラメントで構成された、親水性のスパンボンドウエッブまたはメルトブローウエッブまたは接合カード処理ウエッブ材料からなることができる。
排泄物閉じ込め構造体42は、最も望ましくはバックシート58を組み込んでおり、該バックシートは蒸気透過性で且つ液体透過性であるが、液体透過性は僅かしかないる。望ましくは、それは液体不透過性のカバー構造体（図示せず）に結合され、該カバー構造体は内部の排泄物閉じ込め構造体を覆い、これを人々の外表面から分離する。排泄物閉じ込み構造体42の股領域24は、プラスチックフィルムのような適切な手段によって液体不透過性にする一方、通気性を補助するために、排泄物閉じ込め構造体42の上部およびウエスト開口34は液体透過性材料で覆えばよいであろう。
バックシート58は、ポリエチレン、ポリプロピレン、ポリ塩化ビニルまたは同様の材料の薄い液体不透過性のウエッブまたはシートから構成すればよい。或いは、バックシート58は、低い液体透過性を有するように適切に構成および配置された不織繊維ウエッブからなっていてもよい。更に、バックシート58は、熱接合されたプラスチックフィルムおよび不織ウエッブ複合体のような、重層または積層された材料からなっていてもよい。衣類10は、典型的には運動着を目的とするものであるから、露出されたバックシートまたはその一部は、摩擦耐性の材料または基礎重量で製造することができる。
バックシート58は、約0.5oz／yd2（17gsm）〜約2.0oz／yd2（68gsm）の基礎重量を有する単一のスパンボンドポリエチレン不織ウエッブで構成することができる。スカートカバー14は、少なくともバックシート58の股領域および臀部領域において、約0.5oz／yd2（17gsm）〜約2.0oz／yd2（68gsm）、望ましくは1.0oz／yd2〜約2.0oz／yd2の基礎重量を有する材料からなるのが望ましい。衣類10の他の領域には、より小さい基礎重量を用いてもよい。
また、排泄物閉じ込め構造体42においては、上記と同じ理由で、バックシート58は液体透過性で、カバーは液体不透過性であってもよい。しかし、衣類10がスカートカバー14を有する場合、排泄物閉じ込め構造体の股領域24は、プラスチックフィルムのような適切な手段によって液体不透過性とする一方、排泄物閉じ込め構造体42の上部は液体透過性材料で覆って通気性を補助することができるであろう。
身体側ライナー56は、液体を通過させる如何なる種類の可撓性かつ多孔性のシートであってもよい。ここでも、身体側ライナー56は、新鮮水、塩水または処理液中での浸水を可能にし、且つその一体性を維持するものでなければならない。身体側ライナー56は、例えば、ポリプロピレン、ポリエチレン、ポリエステル等の合成ポリマーフィラメントからなるスパンボンドウエッブ、メルトブローウエッブまたは接合カード処理ウエッブ、或いはレーヨンまたは綿のような天然ポリマーフィラメントのウエッブで構成することができる。身体側ライナー56は、尿および他の身体滲出液のような液体を容易に通過させる孔サイズを有する。身体側ライナー56には、これを貫通して伸びる分離したスリットまたは孔を選択的にエンボスまたは穿孔することができる。当該ラミネート層を接着するための適切な接着剤は、ウィスコンシン州WauwetosaのFindley Adhesives,Inc.社から得ることができる。
先に述べたように、側部パネル26および28は、一方向に伸縮でき、または実質的に直交する少なくとも二方向に伸縮できる材料で形成することができる。一つの適切な一方向伸縮性材料は、Vander Wielen et al.に付与された1988年1月19日発行の米国特許第4,720,415号に開示されており、この特許は本明細書の一部をなす参照として本願に組み込まれる。この一方向伸縮性材料は、少なくとも一つの伸ばされた弾性ウエッブに接合された、少なくとも一つのギャザー形成性ウエッブを含む複合材料からなることができる。
この弾性ウエッブは、弾性フィルム、またはメルトブロー弾性繊維ウエッブのような不織繊維弾性ウエッブであり得る。一実施例において、側部パネル26および28は、約0.4oz／yd2（13.6gsm）の基礎重量を有する一対のスパンボンドポリオレフィン不織ウエッブの間にサンドイッチされ且つ結合された、予伸張された弾性メルトブローの内層で形成されたストレッチボンド積層体からなる。適切な弾性材料は、テキサス州ヒューストンのシェルケミカルカンパニー社から、クレイトン（Kraton）の商標で購入することができる。他の適切な一方向伸縮性材料は、Wildemanに付与された1986年8月19日発行の米国特許第4,606,964号、およびMormanに付与された1987年4月14日発行の同第4,657,802号に開示されている。
側部パネル26および28のために使用できる弾性要素として用いることができる材料は、望ましくは、約10〜約500パーセントの伸びが可能で、且つ張力を排除するとその伸びの少なくとも55パーセントを回復する第一の方向の伸縮特性を有する。一般に、側部パネル26および28に使用するための材料は、第一の方向に約50〜約300パーセント、特に、少なくとも125パーセントの伸びが可能で、且つ張力を解除するとその伸びの少なくとも80％を回復することが望ましい。
側部パネル26および28のための適切な二方向性伸縮材料は、Mormanに付与された1992年5月19日発行の米国特許第5,114,761号および1992年5月28日発行の米国特許第5,116,662号に記載されており、これら特許は本明細書の一部をなす参照として本願に組み込まれる。二方向性伸縮材料は、メルトブローまたは押し出しにより形成し得るネッキング性材料および弾性シートを含む複合材料からなることができる。ネッキング性材料は、所望のネッキング方向に対して直交する方向の張力を加えることにより、少なくとも一次元方向に収縮し得る材料であり、スパンボンドウエッブ、メルトブローウエッブまたは接合カード処理ウエッブが含まれ得る。
張力を加えて中間を細くしたネッキング性材料は、非線形に配置された離間した位置で、引き伸ばされた弾性シートに接合させることができる。もう一つの二方向伸縮性複合材料は、離間した位置で1以上の弾性シート層に接合された、反対にネッキングされた材料の1以上の層を含むことができる。反対にネッキングされた材料とは、材料にメモリーを付与するために、ネッキングしながら例えば熱で処理された材料であり、材料を予めネッキングされた寸法に伸ばすように力が加えられた場合に、その力の印加が終わったときに、処理されたネッキング部分が一般にそのネッキングされた寸法を回復するようなものである。
脚部弾性体36および38、並びにウエスト弾性メンバー43および45は、ストレッチボンドされたラミネートである。特に、このストレッチボンドラミネートは、少なくとも一つの不織ギャザー形成層および弾性層を含むことができる。或いは、脚部弾性体36および38並びにウエスト弾性体43および45は、E.I.デュポン・ド・ヌムール・アンド・カンパニー社からLYCRAの商標名で入手可能なドライスパン合着されたマルチフィラメントエラストマー糸で形成することができる。更に別の方法として、脚部弾性体36および38、並びにウエスト弾性メンバー143および145は、おむつ製造技術で利用される他の典型的な弾性体、例えばVan Gompel et al.に付与された1990年7月10日発行の米国特許第4,940,484号に記載された細い弾性体リボンで形成してもよく、この特許は本明細書の一部をなす参照として本願に組み込まれる。また、バックシート58と身体側ライナー56の間にホットメルト弾性接着剤を押し出すことによって、長手方向側部セクションにも弾性を与えることができる。他の適切な弾性ギャザー形成手段は、Mesecに付与された米国特許第4,938,754号およびMesek et al.に付与された米国特許第4,388,075号に開示されている。
スカートカバー14は、望ましくは、フィルム層、不織層、または他の何れか適切な液体透過性または液体不透過の性材料からなる、望ましくは布状の感触をもった単一の層で構成することができる。スカートカバー14は、約0.5oz／yd2（17gsm）〜約2.0oz／yd2（68gsm）の基礎重量を有する単一のスパンボンドポリプロピレン不織ウエッブで形成される。
スカートカバー14は、典型的には約0.5oz／yd2（17gsm）〜約2.0oz／yd2（68gsm）の基礎重量を有する材料で構成される。スカートカバー14は、接着剤によって第一の層に適切に結合された液体不透過性フィルム層からなる第二の層を含んでいてもよい。スカートカバー14の第一の層は、約0.5oz／yd2（17gsm）〜約2.0oz／yd2（68gsm）の基礎重量を有するスパンボンドポリプロピレン不織ウエッブであることができる。スカートカバー14の第二の層は、厚さ約0.5〜約1.0ミルのポリエチレンフィルムであることができる。
図４にはショーツ衣類110（トランクス衣類とも言う）が示されている。この応用において、「ショーツ」の語は、ショーツ、ズボン、または種々の脚部被覆長さを有する何れかのタイプのボクサースタイルの衣類を意味するものと理解される。トランクスカバー114は、対向する内表面および外表面111,113を有する。望ましい実施例によれば、トランクス衣類110のトランクスカバー114は、望ましくは右正面パネル151、左正面パネル153、右背面パネル155および左背面パネル157を含んでいる。右正面パネル151は、一対の側縁117および159と、この側縁117および159の間に配置された対向するウエスト領域161と底部縁163とを有している。左正面パネル153は、一対の側縁119および165と、この側縁119および165の間に配置された対向するウエスト領域167と底部縁169とを有している。
右背面パネル155は、一対の側縁123および171と、この側縁123および171の間に配置された対向するウエスト領域173と底部縁175とを有している。左背面パネル157は、一対の側縁125および177と、この側縁125および177の間に配置された対向するウエスト領域179と底部縁181とを有している。
側縁158は、正面ウエスト領域131および正面パネル115を形成する中央継ぎ目163において、側縁165に結合されている。側縁171は、背面ウエスト領域133および背面パネル121を形成する中央継ぎ目185において、側縁177に結合されている。側縁117は、側部継ぎ目167において側縁123に結合され、また側縁119は、側部継ぎ目189において側縁125に結合される。
トランクスカバー114の正面パネル115および背面パネル121は、正面パネルおよび背面パネル115,121の間でそれぞれ中央に広がる股セクション149を形成するように、股下継き目147において一緒に結合される。正面パネル115、背面パネル121および股セクション149は、一緒に結合されたときに、ウエスト開口134、並びに股セクション149の反対側の二つの脚部開口187および189を形成する。
パンツ構造体112が含まれないトランクス衣類110の実施例では、ウエスト領域131および133は、トランクスカバー114の内表面111上のウエスト弾性メンバー143および145に結合される。望ましいものではないが、ウエスト弾性メンバー143および145は、トランクスカバー114の外表面113に結合することができるであろう。
ウエスト弾性メンバー143および145は、トランクスカバー114のウエスト領域131および133にストレッチボンドし、或いは弛緩した状態で、トランクスカバー114のウエスト領域131および133のギャザー部分に結合すればよい。ウエスト弾性体143および145を取りつけるための一つの適切な方法は、Ales et al.に付与された1987年2月7日発行の米国特許第4,639,949号に開示されており、この特許は本明細書の一部をなす参照として本願に組み込まれる。
望ましくは、ウエスト弾性メンバー143および146は少なくとも二つのスパンボンド層で形成されており、これらスパンボンド層の間には弾性体が配置されている。ウエスト領域131および133、並びにウエスト弾性メンバー143および145は、望ましくは接着剤によって一緒に接合されるが、上記で述べた他の接合方法を利用してもよい。トランクスカバー114のウエスト領域131および133は、ウエスト開口134の全体の周囲に取り付けてもよく、またはその一部にのみ取り付けてもよい。
ウエスト領域131および133は、ウエスト弾性メンバー143および145の頂部縁またはその近傍で終端する。これは、ウエスト領域131および133が同時に切除されることを可能にする。底部縁163、169、175および181は縁取りすることができる。より容易な製造のためには、底部縁163、169、175および181を縁取りがないままにして、容易な機械裁断を可能にする。
本発明のもう一つの実施例（図７および図８参照）によれば、トランクス衣類110のトランクスカバー114は、望ましくは正面パネル115および背面パネル121を具備する。正面パネル115は、一対の側縁117および119と、側縁117および119の間に配置された対向するウエスト領域131および底部縁139とを有している。背面パネル121は、一対の側縁123および125と、側縁123および125の間に配置された対向するウエスト領域133および底部縁141とを有している。
衣類110の本発明の幾つかの実施例において、側部継ぎ目187および189、中央継ぎ目183および185、並びに継ぎ目147は再固定不能である。再固定不能な継ぎ目147、183、185、187および189は、例えば超音波シール、接着剤接合、ヒートシール等のような如何なる適切な手段によって形成してもよい。このような継ぎ目を形成する一つの適切な方法は、Van Gompel et al.に付与された1990年7月3日発行の米国特許第4,938,753号に開示されており、この特許は本明細書の一部をなす参照として本願に組み込まれる。図５に最も明瞭に図示されているように、側部パネル126および128の再固定不能な継ぎ目127および129を一緒に接合して、手で裂断可能な再固定不能の継ぎ目を形成してもよい。こうして、パンツ構造体112はウエスト開口134、並びに一対の脚部開口130および132（図１および図2）を形成する。
衣類110の本発明の他の実施例において、側部継ぎ目187および189、中央継ぎ目183および186、並びに股下継ぎ目147は再固定可能である。縁部を固定するための再固定可能な手段には、接着性ファスナーおよび機械的ファスナー96が含まれる。機械的ファスナーにはボタン、ボタン孔、スナップ、バックル、クラスプ、フックおよびループ、端部延設、タブ等が含まれ、これらはトランクスカバー114の内表面111もしくは外表面113上のある種の相補的器具に結合するように設計または適合される。加えて、衣類110のより良好な適合性を得るために、伸縮性のファスナーも使用することができる。
衣類110のもう一つの実施例によれば（図７参照）、衣類110のショーツ114は、望ましくは正面パネル116および背面パネル121を具備する。正面パネル115は、一対の側縁117および119と、側縁117および119の間に配置された対向するウエスト領域131および底部縁139とを有している。背面パネル121は、一対の側縁123および125と、側縁123および125の間に配置された対向するウエスト領域133および底部縁141とを有している。側縁117は、側部継ぎ目187において側縁123に結合され、側縁119は、側部継ぎ目189において側縁125に結合される。
トランクスカバー114の正面パネル115および背面パネル121は、正面パネルおよび背面パネル115,121の間でそれぞれ中央に広がる股セクション149を形成するように、股下継ぎ目147において一緒に結合される。正面パネル115、背面パネル121および股セクション149は、一緒に結合されたときに、ウエスト開口134、並びに股セクション149の反対側の二つの脚部開口193および195を形成する。
パンツ構造体112が含まれないトランクス衣類110の実施例では、ウエスト領域131および133は、トランクスカバー114の内表面111上のウエスト弾性メンバー143および145に結合される。望ましいものではないが、ウエスト弾性メンバー143および145は、トランクスカバー114の外表面113に結合することができるであろう。
ウエスト弾性メンバー143および145は、トランクスカバー114のウエスト領域131および133にストレッチボンドし、或いは弛緩した状態で、トランクスカバー114のウエスト領域131および133のギャザー部分に結合すればよい。ウエスト弾性体143および145を取りつけるための一つの適切な方法は、Ales et al.に付与された1987年2月7日発行の米国特許第4,639,949号に開示されており、この特許は本明細書の一部をなす参照として本願に組み込まれる。
望ましくは、ウエスト弾性メンバー143および145は少なくとも二つのスパンボンド層で形成されており、これらスパンボンド層の間には弾性体が配置されている。ウエスト領域131および133、並びにウエスト弾性メンバー143および145は、望ましくは接着剤によって一緒に接合されるが、上記で述べた他の接合方法を利用してもよい。トランクスカバー114のウエスト領域131および133は、ウエスト開口134の周囲全体またはその一部のみにおいて、ウエスト弾性メンバー143および145に取り付ければよい。
ウエスト領域131および133は、ウエスト弾性メンバー143および145の頂部縁またはその近傍で終端する。これは、ウエスト領域131および133が同時に切除されることを可能にする。底部縁139および141は縁取りすることができる。より容易な製造のためには、底部縁139および141は縁取りがないままにして、容易な機械裁断を可能にする。
トランク衣類110は、ウエスト領域131および133、並びにウエスト領域131および133から広がる正面パネル115および背面パネル121を有する単一カバーを形成する個々の部分を含んだカバー材料を供給することにより、連続プロセスで形成することができる。股領域は、正面パネル115および背面パネル121の間に形成される。パネル115および121は、ダイカッター、ウオータージェットカッターまたは端適切な手段によって成形することができる。
パンツ構造体112（図5および図6参照）は、正面および背面の長手方向に離間したウエストバンド領域120および122を含んでおり、これらはパンツ構造体112の長手方向端部135および137で終端している。股領域124は、正面ウエストバンド領域120と背面バンドウエスト領域122の間に位置している。左側部パネル126および右側部パネル128は、正面ウエスト領域120と背面ウエスト領域122の間に広がっている。パンツ構造体112は、排泄物閉じ込めセクション142を含んでいてもよい。排泄物閉じ込め構造体142は、バックシート158、身体側ライナー156、吸収性コア180、並びに側部パネル126および128を含むことができる。幾つかの実施例において、排泄物閉じ込め構造体142には閉じ込めフラップ164および166が含まれる。
側部パネル126および128（これらは弾性要素を含んでいて含まなくてもよい）は、継ぎ目127および129の近傍において超音波接合され、構成材料が手で分断可能な再固定不能領域を与えるように形成される。この側部パネル126および128には、弾性材料の層またはSBLを組み込んだ弾性要素を結合することができる。
また、パンツ構造体112は、股領域124に機能的に接合された脚部弾性体136および138を含んでいる。これら脚部弾性体136および138は、側部パネル126および128の縁部、並びに股領域124におけるパンツ構造体112の長手方向縁部180および182に沿って配置される。脚部弾性体136および138はパンツ構造体112（結局、排泄物閉じ込め構造体142が存在するときは該構造体）を着用者の身体に対して保持し、または着用者の脚部回りにシール若しくはガスケットを形成するのを補助する。
脚部弾性体136および138は、パンツ構造体112の長手方向縁部に沿って、カバー材料にストレッチボンドすることができる。ウエスト弾性体143および145は、パンツ構造体112における正面および背面のウエストバンド領域120および122に伸縮性をもたせる。その後、パンツ構造体112がウエスト開口134および一対の脚部開口130および132を形成するように、各側部パネル126および128は継ぎ目127および129によって一緒に接合される。
パンツ構造体112およびトランクスカバー114は、トランクス衣類110のウエスト部において結合される。パンツ構造体112におけるウエストバンド領域120および122の長手方向端部135および137は、ウエスト領域131および133に結合される。ウエスト弾性メンバー143および145は、長手方向端部135および137とウエスト領域131および133との間に配置される。パンツ構造体112は、望ましくは正面パネル115および背面パネル121に取り付けられるが、該カバー114の股セクション149には取り付けられない。
望ましくは、ウエスト弾性メンバー143および145は、間に弾性体を配置した少なくとも二つのスパンボンド層で製造される。長手方向端部135および137、ウエスト領域131および133、並びにウエスト弾性メンバー143および145は、望ましくは接着剤によって一緒に接合されるが、上記の他の接合方法を利用することもできる。トランクスカバー114のウエスト領域131および133は、ウエスト開口124の全体またはその一部の周囲でパンツ構造体112に取り付ければよい。ウエスト弾性メンバー143および145は、カバー114のウエスト領域131および133にストレッチボンドすればよく、或いは、弛緩した状態で、カバー114のパネルにおけるウエスト領域のギャザー部分に結合すればよい。適切な一つの方法は上記で述べたものである。
ウエスト弾性メンバー143および145は、トランクスカバー114のウエスト領域131および133、並びにパンツ構造体112のウエストバンド領域120および122にストレッチボンドすればよく、或いは、弛緩した状態で、パンツ構造体112のウエストバンド領域120および122のギャザー部分、並びにトランクスカバー114のウエスト領域131および133のギャザー部分に結合すればよい。ウエスト弾性体143および145を取りつけるために適した一つの方法は、Ales et al.に付与された1987年2月7日発行の米国特許第4,639,948号に開示されており、この特許は本明細書の一部として本願に組み込まれる。
長手方向端部135および137並びにウエスト領域131および133は、ウエスト弾性メンバー143および145の頂部縁または頂部縁の近傍で終端する。これによって、長手方向端部135および137並びにウエスト領域131および133を同時に切除することが可能になる。
トランクス衣類110のためのトランクスカバーの114の望ましい実施例を作製するために、正面パネルセクション115を、股下継ぎ目147における継ぎ目187および189に沿って背面パネル121に接合し、またウエスト開口134の近傍において、正面および背面のウエストバンド領域120および122でパンツ構造体112に接合すればよい。「仕上げられたパンツ」の用語は、その所期の目的のために使用できる三次元のパンツを意味する。
トランクス衣類110は、排泄物閉じ込め構造体142を含んでいてもよい（図６参照）。図示の排泄物閉じ込め構造体142は、バックシート158、身体側ライナー156、バックシート158と身体側ライナー156の間にサンドイッチされた吸収性コア160を含むことができる。バックシート158および身体側ライナー156は、バックシート158およびライナー156の周縁が超音波接合、熱接合、接着剤、または他の適切な手段を用いて一緒にシールし得るマージンを形成するように、吸収性コア160よりも長く且つ広いのが望ましい。吸収性コア160は、超音波接合、接着剤、または他の適切な手段を用いて、バックシート158および／または身体側ライナー156に取りつければよい。
排泄物閉じ込め構造体142はまた、排泄物の取り込み、分配および貯蔵を補助するために、追加の成分を含むことができる。例えば、排泄物閉じ込め構造体142は、Mayer et al.に付与された1989年1月17日発行の米国特許第4,798,603号に記載のような輸送層、1993年5月5日に公開されたヨーロッパ特許出願EP 0 539 703 A1に記載されているようなサージ取扱い層を含むことができる。これらの特許は、本明細書の一部をなす参照として本願に組み込まれる。
排泄物閉じ込め構造体142は、身体側ライナーおよびバックシートの材料を供給し、個々の吸収性コア160を、バックシート158と身体側ライナー156の間にサンドイッチすることによって構築することができる。吸収性コア160の外側にあるバックシート158および身体側ライナー156の側部周縁は、側部パネル材料と一緒に接合してシールすることができる。次いで、個々の排泄物閉じ込め構造体142を、バックシートおよび身体側ライナー材料の連続供給体から切り出すことができる。この排泄物閉じ込め構造体142は、任意に、Ｔ字形、Ｉ字形、砂時計形、または不規則形状であってよい。
吸収性コア160は、セルロース繊維および合成ポリマー繊維の混合物で構成される順応性材料からなることができる。例えば、この順応性材料は、セルロース木材繊維およびメルトブローポリオレフィン繊維（例えばポリエチレン繊維またはポリプロピレン繊維）の空気堆積ブレンドからなることができる。吸収性コア160は、順応性材料のみ、または超吸収性材料および順応性材料と他の吸収性または非吸収性材料との組み合わせからなることができる。
順応性材料は、セルロース木材繊維ト、ポリエチレン繊維またはボリプロピレン繊維のようなメルトブローポリオレフィン繊維との空気堆積ブレンドからなっていてもよく、或いはセルロース繊維のバット（batt）（即ち木材パルプ綿毛）からなっていてもよい。任意に、乾燥した環境に置かれたときの液体取り込みを補助するために、吸収性コア160を表面活性剤で処理してもよい。本発明の特定の実施例において、吸収性コア160は、乾燥したときに約1.25cm以下のバルク厚さを有する。親水性繊維およびポリマーストランドは、繊維：ポリマーの比が80:20未満、例えば約30:70〜約80:20、望ましくは約60:40〜70:30になるように提供される。
吸収性コア160については、コアの吸収性を増大する化合物が効果的な量で含められ、該化合物は有機もしくは無機の高吸収性材料であり得る。例えば、吸収性コア160は、0〜5重量パーセント、望ましくは1％未満の高吸収性材料を含むことができる。適切な無機高吸収性材料には、例えば吸収性粘土およびシリカゲルが含まれる。
有機高吸収性材料は、ペクチン、グアーガムおよび草炭のような天然材料、並びに合成ヒドロゲルポリマーのような合成材料を含むことができる。このようなヒドロゲルポリマー類には、例えばカルボキシメチルセルロース、ポリアクリル酸のアルカリ金属塩、ポリアクリルアミド、ポリビニルアルコール、エチレン／無水マレイン酸コポリマー、ポリビニルエーテル、ヒドロキシプロピルセルロース、ポリビニルモルホリノン、硫酸ビニルのポリマーおよびコポリマー、ポリアクリレート、ポリアクリルアミド、ポリビニルピリジン等が含まれ得る。他の適切なポリマーには、加水分解されたアクリロニトリルグラフト澱粉、アクリル酸グラフト澱粉、イソブチレン／無水マレイン酸コポリマー、およびこれらの混合物が含まれ得る。
ヒドロゲルポリマー類は、該物質を実質的に水不溶性にするために、望ましくは十分に架橋される。架橋は、例えば放射線照射、共有結合、イオン結合、ファンデルワールス結合または水素結合によって行えばよい。適切な材料は、ダウケミカルカンパニー（Dow Chemical Company）社、Hoechst-Celanesa Corporation社、およびAllied-Colloid社のような種々の商業的販売業者から入手可能である。典型的には、高吸収性材料は、水中でその重量の少なくとも約15倍を吸収することができ、望ましくは水中でその重量の約25倍以上を吸収することができる。
高吸収性材料は、種々の技術を用いて吸収性コア160の中に分布させ、或いはその中に組み込むことができる。例えば、高吸収性材料は、吸収性コア160を構成する繊維間に実質的に均一に分布させることができる。また、該材料を吸収性コア160の繊維内に不均一に分布させて、一般に連続的な勾配を形成し、バックシート158から内側に向かって変化する該材料の濃度を見たときに、高吸収性材料の濃度が増大または減少するようにすることができる。或いは、高吸収性材料は、吸収性コア160の繊維材料から分離した別個の層を構成することができ、または吸収性コア160と一体の別個の層を構成することができる。
また、吸収性コア160は、繊維状コアの一体性の維持を補助するラップ層（図示せず）を含んでいてもよい。このラップ層は、ポリプロピレン、ポリエチレン、ポリエステル等の合成ポリマーフィラメント、またはレーヨンもしくは綿のような天然ポリマーフィラメントで構成された、親水性のスパンボンドウエッブ、メルトブローウエッブまたは接合カード処理ウエッブ材料からなることができる。また、木材パルプまたは湿潤強度樹脂（例えば、デラウエア州ウイルミントンのHercules Inc.社の製品であるKimane）からなるクレープティッシュペーパーであってもよい。
排泄物閉じ込め構造体142は、最も望ましくはバックシート158を組み込んでおり、該バックシートは蒸気透過性で且つ液体透過性であるが、液体透過性は僅かしかないる。望ましくは、それは液体不透過性のカバー構造体（図示せず）に結合され、該カバー構造体は内部の排泄物閉じ込め構造体を覆い、これを人々の外表面から分離する。排泄物閉じ込み構造体142の股領域124は、プラスチックフィルムのような適切な手段によって液体不透過性にする一方、通気性を補助するために、排泄物閉じ込め構造体142の上部およびウエスト開口134は液体透過性材料で覆えばよいであろう。
バックシート158は、ポリエチレン、ポリプロピレン、ポリ塩化ビニルまたは同様の材料の薄い液体不透過性のウエッブまたはシートから構成すればよい。或いは、バックシート158は、低い液体透過性を有するように適切に構成および配置された不織繊維ウエッブからなっていてもよい。更に、バックシート158は、熱接合されたプラスチックフィルムおよび不織ウエッブ複合体のような、重層または積層された材料からなっていてもよい。衣類110は、典型的には運動着を目的とするものであるから、露出されたバックシートまたはその一部は、摩擦耐性の材料または基礎重量で製造することができる。
バックシート158は、約0.5oz／yd2（17gsm）〜約2.0oz／yd2（68gsm）の基礎重量を有する単一のスパンボンドポリエチレン不織ウエッブで構成することができる。ショーツ114は、少なくともバックシート158の股領域および臀部領域において、約0.5oz／yd2（17gsm）〜約2.0oz／yd2（68gsm）、望ましくは1.0oz／yd2〜約2.0oz／yd2の基礎重量を有する材料からなるのが望ましい。衣類110の他の領域には、より小さい基礎重量を用いてもよい。
また、排泄物閉じ込め構造体142においては、上記と同じ理由で、バックシート158は液体透過性で、カバーは液体不透過性であってもよい。しかし、衣類110がショーツ114を有する場合、排泄物閉じ込め構造体の股領域124は、プラスチックフィルムのような適切な手段によって液体不透過性とする一方、排泄物閉じ込め構造体142の上部は液体透過性材料で覆って通気性を補助することができるであろう。しかしながら、上記に加えて、排泄物閉じ込め構造体142のバックシート158を蒸気透過性の材料で作製して、該構造体に幾らかの通気性を可能にする一方、前記カバー（図示せず）は不透過性にして、速乾性と、該構造体を通過する何等かの液体の閉じ込めを可能にすることができる。
身体側ライナー156は、液体を通過させる如何なる種類の可撓性で多孔性のシートであってもよい。ここでも、身体側ライナー156は、新鮮水、塩水または処理液中での浸水を可能にし、且つその一体性を維持するものでなければならない。身体側ライナー156は、例えば、ポリプロピレン、ポリエチレン、ポリエステル等の合成ポリマーフィラメントからなるスパンボンドウエッブ、メルトブローウエッブまたは接合カード処理ウエッブ、或いはレーヨンまたは綿のような天然ポリマーフィラメントのウエッブで構成することができる。身体側ライナー156は、尿および他の身体滲出液のような液体を容易に通過させる孔サイズを有する。身体側ライナー156には、これを貫通して伸びる分離したスリットまたは孔を選択的にエンボスまたは穿孔することができる。
任意に、ウエッブまたはシートは、液体輸送を補助するために表面活性剤で処理してもよい。身体側ライナー156のための適切な一つの材料は、Appel et al.に付与された1982年7月20日発行の米国特許第4,340,563号および1983年9月23日発行の米国特許第4,405,297号に記載された方法および装置により製造された、濡れ性をもったスパンボンドポリプロピレンウエッブである。これらの特許は、本明細書の一部をなす参照として本願に組み込まれる。身体側ライナー156は液体透過性であり、0.75oz／yd2（25.4gsm）の基礎重量を有するスパンボンドポリエチレンの不織ウエッブである。当該ラミネート層を接着するための適切な接着剤は、ウィスコンシン州WauwetosaのFindley Adhesives,Inc.社から得ることができる。
先に述べたように、側部パネル126および128は、一方向に伸縮でき、または実質的に直交する少なくとも二方向に伸縮できる材料で形成することができる。一つの適切な一方向伸縮性材料は、Vander Wielen et al.に付与された1988年1月19日発行の米国特許第4,720,415号に開示されており、この特許は本明細書の一部をなす参照として本願に組み込まれる。この一方向伸縮性材料は、少なくとも一つの伸ばされた弾性ウエッブに接合された、少なくとも一つのギャザー形成性ウエッブを含む複合材料からなることができる。弾性ウエッブは、弾性フィルム、或いはメルトブロー弾性繊維ウエッブのような不織繊維弾性ウエッブであることができる。
この弾性ウエッブは、弾性フィルム、またはメルトブロー弾性繊維ウエッブのような不織繊維弾性ウエッブであり得る。一実施例において、側部パネル126および128は、約0.4oz／yd2（13.6gsm）の基礎重量を有する一対のスパンボンドポリオレフィン不織ウエッブの間にサンドイッチされ且つ結合された、予め伸張された弾性メルトブローの内層で形成されたストレッチボンド積層体からなる。適切な弾性材料は、テキサス州ヒューストンのシェルケミカルカンパニー社から、クレイトン（Kraton）の商標で購入することができる。他の適切な一方向伸縮性材料は、Wildemanに付与された1986年8月19日発行の米国特許第4,606,964号、およびMormanに付与された1987年4月14日発行の同第4,657,802号に開示されている。
側部パネル126および128のために使用できる弾性要素として使用することができる材料は、望ましくは、約10〜約500パーセントの伸びが可能で、且つ張力を排除するとその伸びの少なくとも55パーセントを回復する第一の方向の伸縮特性を有する。一般に、側部パネル126および128に使用するための材料は、第一の方向に約50〜約300パーセント、特に、少なくとも125パーセントの伸びが可能で、且つ張力を解除するとその伸びの少なくとも80％を回復することが望ましい。
側部パネル126および128のための適切な二方向性伸縮材料は、Mormanに付与された1992年5月19日発行の米国特許第5,114,761号および1992年5月28日発行の米国特許第5,116,662号に記載されており、これら特許は本明細書の一部をなす参照として本願に組み込まれる。二方向性伸縮材料は、メルトブローまたは押し出しにより形成し得るネッキング性材料および弾性シートを含む複合材料からなることができる。ネッキング性材料は、所望のネッキング方向に対して直交する方向の張力を加えることにより、少なくとも一次元方向に収縮し得る材料であり、スパンボンドウエッブ、メルトブローウエッブまたは接合カード処理ウエッブが含まれ得る。
張力を加えて中間を細くしたネッキング性材料は、非線形に配置された離間した位置で、引き伸ばされた弾性シートに接合させることができる。もう一つの二方向伸縮性複合材料は、離間した位置で1以上の弾性シート層に接合された、反対にネッキングされた材料の1以上の層を含むことができる。反対にネッキングされた材料とは、材料にメモリーを付与するために、ネッキングしながら例えば熱で処理された材料であり、材料を予めネッキングされた寸法に伸ばすように力が加えられた場合に、その力の印加が終わったときに、処理されたネッキング部分が一般にそのネッキングされた寸法を回復するようなものである。
脚部弾性体136および138、並びにウエスト弾性メンバー143および145は、ストレッチボンドされたラミネートである。特に、このストレッチボンドラミネートは、少なくとも一つの不織ギャザー形成層および弾性層を含むことができる。或いは、脚部弾性体136および138並びにウエスト弾性体143および145は、E.I.デュポン・ド・ヌムール・アンド・カンパニー社からLYCRAの商標名で入手可能なドライスパン合着されたマルチフィラメントエラストマー糸で形成することができる。
更に別の方法として、脚部弾性体136および138、並びにウエスト弾性メンバー143および145は、おむつ製造技術で利用される他の典型的な弾性体、例えばVan Gompel et al.に付与された1990年7月10日発行の米国特許第4,940,484号に記載された細い弾性体リボンで形成してもよく、この特許は本明細書の一部をなす参照として本願に組み込まれる。また、バックシート158と身体側ライナー156の間にホットメルト弾性接着剤を押し出すことによって、長手方向側部セクションにも弾性を与えることができる。他の適切な弾性ギャザー形成手段は、Mesecに付与された米国特許第4,938,754号およびMesek et al.に付与された米国特許第4,388,075号に開示されている。
トランクスカバー114は、望ましくは、フィルム層、不織層、または他の何れか適切な液体透過性または液体不透過性の材料からなる、望ましくは布状の感触をもた単一の層で構成することができる。トランクスカバー114は、約0.5oz／yd2（17gsm）〜約2.0oz／yd2（68gsm）の基礎重量を有する単一のスパンボンドポリプロピレン不織ウエッブで形成される。トランクス衣類110の場合、望ましくは、トランクスカバー114は少なくともトランクスカバー114の股領域および腎部領域に、約0.5oz／yd2（17gsm）〜約2.0oz／yd2（68gsm）、望ましくは1.0oz／yd2（17gsm）〜約2.0oz／yd2の基礎重量を有する材料を含んでいる。
ショーツ114は、接着剤によって第一の層に適切に結合された液体不透過性フィルム層からなる第二の層を含んでいてもよい。ショーツ114の第一の層は、約0.5oz／yd2（17gsm）〜約2.0oz／yd2（68gsm）の基礎重量を有するスパンボンドポリプロピレン不織ウエッブとすることができる。ショーツ114の第二の層は、厚さ約0.5〜約1.0ミルのポリエチレンフィルムにすることができる。
本発明は、胴体下部の周囲に着用されるショーツ114（またはズボン）を製造するための連続プロセスであり、該ショーツは外表面113および反対側の内表面111を具備し、ウエスト開口134並びに脚部開口193および195が形成されている。継ぎ目は超音波接合、ヒートシール、接着剤、テープ、または縫合により達成することができ、これら夫々の手段は当該プロセスに独特の変形を与える。
本発明の一実施例（図８参照）においては、衣類110を製造するために十分な幅のファブリックからなる四つのパネル151、153、155および157（ウエッブとも称する）を組み合わせて、ショーツ114が製造される。如何なる使い捨てファブリックまたは洗濯可能なファブリックを使用してもよいが、望ましいファブリックは不織ファブリックである。二つのファブリックパネル151および155がロールから巻戻されて、隣合わせに並べられ、各パネル151および155の一方の側縁で一緒に接合され（202）、複合ウエッブ上の股下継ぎ目147の半分を形成する。望ましい接合方法は超音波接合であるが、例えばヒートシール、接着剤、テープ、または縫合のような他の方法も使用することができる。他の二つのパネル153および157が同じように処理され（204）、第二の複合ウエッブと、股下継ぎ目147の他の半分が形成される。
151および155と、153および157の二つの複合パネル（正面および背面パネルとも言う）が一緒に対面させられ、二つのファブリック層で形成され且つ四つの側縁117、119、123および125を有する構成が生じる。ここで、二つの側縁（117および119;123および125）は相互に隣接し、接合の夫々の側において、一方は他方の頂部にある。
次いで、二つの複合ウエッブ（151および153、155および157）は股部接合器206にかけられ、ここでは、中央縫い目183および185を形成する接合が、ファブリックの中央近傍の対称な略楕円形状で適用される（対称および非対称の種々の形状を使用できる）。この接合は間欠的に適用され、また楕円の頂部から楕円の頂部へ、楕円の底部から楕円の底部へと交互方向に適用される（楕円の頂部から楕円の底部への反復方向を使用してもよい）。中央継ぎ目を形成する接合183および185の間の距離は、衣類の脚部被覆部の望ましい長さに応じて変化する。ズボンが望ましい場合には、楕円接合の間により大きな距離を置くことによって、より大きな脚部被覆部を与える。ショーツを望む場合には、楕円接合の間により小さい距離を置き、それによって小さい脚部被覆部を与える。
楕円接合部の内側セクション190（中央縫い目183および185の内側）は、望ましくはダイ切断または超音波切断によって切断され（208）、仕上りの衣類110において、人間の身体を収容するための正面から背面への外形を有するキャビティーが形成される。この内側セクション190は、当該技術で公知の何れかの方法、望ましくはバキューム源によって除去することができる。
次いで、頂部の二つの側縁１１９および１２５が折り返されて（２１０）、重ね合わされる。この頂部側縁１１９および１２５は請求項と具され、一つの側部継ぎ目および筒状の脚部構造が形成される。次に、底部側縁１１７および１２３を折り返して（２１２）重ね合わせる。底部側縁１１７および１２３を接合し、他方の側部継ぎ目およびもう一方の筒状脚部構造を形成する。所望のときは、頂部側縁117および123を織り返して一緒に接合する前に、底部側縁119および125を折り返して一緒に接合することができる。当該プロセスのこの時点において、ファブリックは、中央継ぎ目183および185の夫々の側に一つの対向する脚部構造192および194、側部継ぎ目127および129、並びに股下継ぎ目147を有している。
次いで、ファブリックは最終切断ナイフ214（またはこの目的のために適した何れか他の切断装置）に通され、夫々がウエスト領域161、167、173および179、ウエスト開口134、並びに脚部開口193および195を有する個々の衣類110が形成される。個々の衣類110は、ウエストからウエストへ、次いで脚部から脚部への交互の向きに製造される。全ての衣類110の方向が一致するように、全ての異なった衣類110を裏返し218することができる。
この時点で、夫々の衣類110は、ウエスト弾性体143および145、パンツ構造体112、排泄物閉じ込め構造体142、または衣類110に含めることが望まれる他の何れかの特徴を追加する準備が完了する。
本発明のもう一つの実施例では、十分な幅のファブリックからなる二つのウエッブ151および153を組み合わせて、ショーツ114が製造される。如何なる使い捨てファブリックまたは洗濯可能なファブリックを使用してもよいが、望ましいファブリックは不織ファブリックである。二つのファブリックウエッブ151および153がロールから巻戻されて、一緒に対面させられ、二つのファブリック層で形成され且つ四つの側縁117、119、123および125を有する構成が生じる。ここで、二つの側縁（117および119;123および125）は相互に隣接し、股下継ぎ目147を形成する接合の夫々の側において、一方は他方の頂部にある。望ましい接合方法は超音波接合であるが、例えばヒートシール、接着剤、テープ、または縫合のような他の方法も使用することができる。
次いで、ファブリックは股部接合器にかけられ、ここでは、中央縫い目183および185を形成する接合が、ファブリックの中央近傍の対称な略楕円形状で適用される（対称並びに非対称な種々の形状を使用できる）。この接合は間欠的に適用され、また楕円の頂部から楕円の頂部へ、楕円の底部から楕円の底部へと交互方向に適用される（楕円の頂部から楕円の底部への反復方向を使用してもよい）。中央継ぎ目形成する接合183および185の間の距離は、衣類の脚部被覆部の望ましい長さに応じて変化する。ズボンが望ましい場合には、楕円接合の間により大きな距離を置くことによって、より大きな脚部被覆部を与える。ショーツを望む場合には、楕円接合の間により小さい距離を置き、それによって小さい脚部被覆部を与える。
楕円接合部の内側セクション190（中央縫い目183および185の内側）は、望ましくはダイ切断または超音波切断によって切断され、仕上りの衣類110において、人間の身体を収容するための正面から背面への外形を有するキャビティーが形成される。この内側セクション190は、当該技術で公知の何れかの方法、望ましくはバキューム源によって除去することができる。
次いで、頂部の二つの側縁117および123が織り返されて、重ね合わされる。この頂部側縁117および123は接合され、一つの側部継き目127および筒状の脚部構造192が形成される。次に、底部側縁119および125を織り返して重ね合わせる。底部側縁119および125を接合し、他方の側部継ぎ目129およびもう一方の筒状脚部構造194を形成する。所望のときは、頂部側縁117および123を織り返して一緒に接合する前に、底部側縁119および125を折り返して一緒に接合することができる。当該プロセスのこの時点において、ファブリックは、中央継ぎ目183および185の夫々の側に一つの対向する脚部構造192および194、側部継ぎ目127および129、並びに股下継ぎ目147を有している。
次いで、ファブリックは最終切断ナイフに通され、夫々がウエスト領域115および121、ウエスト開口134、並びに脚部開口193および195を有する個々の衣類110が形成される。個々の衣類110は、ウエストからウエストへ、次いで脚部から脚部への交互の向きに製造される。全ての衣類110の方向が一致するように、全ての異なった衣類110を裏返すことができる。別の実施例では、全ての異なった衣類110は、第二の衣類スタック部へ搬送される。
この時点で、夫々の衣類110は、ウエスト弾性体143および145、パンツ構造体112、排泄物閉じ込め構造体142、または衣類110に含めることが望まれる他の何れかの特徴を追加する準備が完了する。
本発明の更にもう一つの実施例では、十分な幅のファブリックからなる一つのウエッブを処理してショーツ114が製造される。如何なる使い捨てファブリックまたは洗濯可能なファブリックを使用してもよいが、望ましいファブリックは不織ファブリックである。一つのファブリックウエッブがロールから巻戻され、長さ方向に裁断または切断されて、二つのファブリックウエッブ151および153が形成される。これら二つのウエッブ151および153は一緒に対面した向きにされ、二つのファブリック層で形成され且つ四つの側縁117、119、123および125を有する構成が生じる。ここで、二つの側縁（117および119;123および125）は相互に隣接し、股下継ぎ目147を形成する接合の夫々の側において、一方は他方の頂部にある。望ましい接合方法は超音波接合であるが、例えばヒートシール、接着剤、テープ、または縫合のような他の方法も使用することができる。
次いで、ファブリックは股部接合器にかけられ、ここでは、中央縫い目183および185を形成する接合が、ファブリックの中央近傍の対称な略楕円形状で適用される（対称並びに非対称な種々の形状を使用できる）。この接合は間欠的に適用され、また楕円の頂部から楕円の頂部へ、楕円の底部から楕円の底部へと交互方向に適用される（楕円の頂部から楕円の底部への反復方向を使用してもよい）。中央継ぎ目形成する接合183および185の間の距離は、衣類の脚部被覆部の望ましい長さに応じて変化する。ズボンが望ましい場合には、楕円接合の間により大きな距離を置くことによって、より大きな脚部被覆部を与える。ショーツを望む場合には、楕円接合の間により小さい距離を置き、それによって小さい脚部被覆部を与える。
楕円接合部の内側セクション190（中央縫い目183および185の内側）は、望ましくはダイ切断または超音波切断によって切断され、仕上りの衣類110において、人間の身体を収容するための正面から背面への外形を有するキャビティーが形成される。この内側セクション190は、当該技術で公知の何れかの方法、望ましくはバキューム源によって除去することができる。
次いで、頂部の二つの側縁117および123が織り返されて、重ね合わされる。この頂部側縁117および123は接合され、一つの側部継ぎ目127および筒状の脚部構造192が形成される。次に、底部側縁119および125を織り返して重ね合わせる。底部側縁119および125を接合し、他方の側部継ぎ目129およびもう一方の筒状脚部構造194を形成する。所望のときは、頂部側縁117および123を織り返して一緒に接合する前に、底部側縁119および125を折り返して一緒に接合することができる。当該プロセスのこの時点において、ファブリックは、中央継ぎ目183および185夫々の側に一つの対向する脚部構造192および194、側部継ぎ目127および129、並びに股下継ぎ目147を有している。
次いで、ファブリックは最終切断ナイフに通され、夫々がウエスト領域115および121、ウエスト開口134、並びに脚部開口193および195を有する個々の衣類110が形成される。個々の衣類110は、ウエストからウエストへ、次いで脚部から脚部への交互の向きに製造される。全ての衣類110の方向が一致するように、全ての異なった衣類110を裏返すことができる。別の実施例では、全ての異なった衣類110は、第二の衣類スタック部へ搬送される。
この時点で、夫々の衣類110は、ウエスト弾性体143および145、パンツ構造体112、排泄物閉じ込め構造体142、または衣類110に含めることが望まれる他の何れかの特徴を追加する準備が完了する。
本発明は使い捨て衣類10に関し、該衣類は、二つの側縁17,19、これら側縁17,19の間に位置するウエスト領域31および反対側の底部縁38を有する正面パネル15と、並びに二つの側縁23,25、これら側縁23,25の間に位置するウエスト領域33および反対側の底部縁41を有する背面パネル21とを有するスカートカバー14と；長手方向に離間し且つ長手方向端部35,37で終端する正面ウエストバンド領域20および背面ウエストバンド領域22、この正面ウエストバンド領域20と背面ウエストバンド領域22との間の股領域24、並びに一対の側部パネル26,28を有すると共に、一つのウエスト開口34、二つの脚部開口30,32、およびウエスト弾性メンバー43,45を有するパンツ構造体12とを具備し、前記スカートカバー14における前記正面パネル15のウエスト領域31および前記背面パネル21のウエスト領域33は、前記正面ウエストバンド領域20および前記背面ウエストバンド領域22に対して再結合不能に結合されており、これらウエストバンド領域20,22は、前記パネル15,21と該ウエストバンド領域20,22との間に配置された前記ウエスト弾性メンバー43,45を有するものである。
使い捨て衣類10は更に、バックシート58、身体側ライナー56および吸収性コア60を有する排泄物閉じ込め構造体42を具備してもよい。使い捨て衣類10において、前記パンツ構造体12の側部パネルは弾性要素26,28を含んでいる。前記底部縁38,41は縁取りされる。前記スカートカバー14は、前記パンツ構造体12の股領域24の下にまで伸びる。前記スカートカバー14の正面パネル15および背面パネル21の側縁17,１９は一緒に結合されて、ワンピースのスカートカバー14を形成する。
本発明のもう一つの態様は、二つの側縁17,19、これら側縁17,19の間に位置するウエスト領域31および反対側の底部縁39を有する正面パネル15と、並びに二つの側縁23,25、これら側縁23,25の間に位置するウエスト領域33および反対側の第二の底部縁41を有する背面パネル21とを有するスカートカバー14と；長手方向に離間し且つ長手方向端部35,37で終端する正面ウエストバンド領域20および背面ウエストバンド領域22、この正面ウエストバンド領域20と背面ウエストバンド領域22との間の股領域24、並びに一対の側部パネル26,28を有すると共に、一つのウエスト開口34、二つの脚部開口30,32、およびウエスト弾性メンバー43,45を有するパンツ構造体12と；バックシート58、身体側ライナー56および吸収性コア60を有する排泄物閉じ込め構造体42とを具備し、前記スカートカバー14における前記正面パネル15のウエスト領域31および前記背面パネル21のウエスト領域33は、前記正面ウエストバンド領域20および前記背面ウエストバンド22領域に対して再結合不能に結合されており、これらウエストバンド領域は、前記パネル15,21と該ウエストバンド領域20,22との間に配置された前記ウエスト弾性メンバー43,45を有する使い捨て衣類に関する。
本発明のもう一つの態様は、二つの側縁117,119、これら側縁117,119の間に位置するウエスト領域131および反対側の底部縁139を有する正面パネル115と、並びに二つの側縁123,125、これら側縁123,125の間に位置するウエスト領域133および反対側の底部縁141を有する背面パネル121とを有するトランクスカバー114であって、前記側縁117および123／119および126は結合されて側部継ぎ目187,189を形成し、前記正面パネル115および背面パネル121は股下継ぎ目147で一緒に結合されて、前記正面パネル115および背面パネル121の間で中央に広がる股領域149を形成し、また前記二つのパネル115,121は一つのウエスト開口134、および前記股領域149の両側に二つの脚部開口193,195を形成するトランクスカバー114と；ウエスト弾性メンバー143,145とを具備し、前記トランクスカバー114における前記正面パネル115のウエスト領域131および前記背面パネル121のウエスト領域133は、前記ウエスト弾性メンバー143,145に再結合不能に結合されている使い捨て衣類に関する。
本発明は、更にパンツ構造体112を具備し、該パンツ構造体112は、長手方向に離間し且つ長手方向端部135,137で終端する正面ウエストバンド領域120および背面ウエストバンド領域122、この正面ウエストバンド領域120と背面ウエストバンド領域122との間の股領域124、並びに一対の側部パネル126,128を有すると共に、一つのウエスト開口134および二つの脚部開口130,132を有する。本発明は、前記ウエスト弾性体143,146に再結合不能に結合されている前記パンツ構造体を含んでいてもよい。
本発明のもう一つの態様は、二つの側縁117,159、これら側縁117,159の間に位置するウエスト領域161および反対側の底部縁163を有する右正面パネル151と、二つの側縁119,165、これら側縁119,165の間に位置するウエスト領域167および反対側の底部縁169を有する左正面パネル153と、二つの側縁123,171、これら側縁123,171の間に位置するウエスト領域173および反対側の底部縁175を有する右背面パネル155と、二つの側縁125,177、これら側縁125,177の間に位置するウエスト領域179および反対側の底部縁181を有する左背面パネル157とを有するトランクスカバー114であって、前記側縁117および123／119および125／159および165／171および177は結合されて側部継ぎ目187,189および中央継ぎ目183,185を形成し、前記二つの正面パネル151,153および二つの背面パネル155,157は股下継ぎ目147で一緒に結合されて、前記正面パネルおよび背面パネル151,153,155,157の間で中央に広がる股領域149を形成し、また前記二つのパネルは一つのウエスト開口134、および前記股領域149の両側に二つの脚部開口193,195を形成するトランクスカバー114と；ウエスト弾性メンバー143,145とを具備し、前記トランクスカバー114における前記二つの正面パネル151,153のウエスト領域161,167および前記二つの背面パネル155,157のウエスト領域173,179は、前記ウエスト弾性メンバー143,145に再結合不能に結合されている使い捨て衣類に関する。
本発明はまた、二つの側縁117,119、これら側縁117,119の間に位置するウエスト領域131および反対側の底部縁139を有する正面パネル115と、並びに二つの側縁123,125、これら側縁123,125の間に位置するウエスト領域133および反対側の底部縁141を有する背面パネル121とを有するトランクスカバー114であって、前記側縁117および123／119および125は結合されて側部継ぎ目187,189を形成し、前記正面パネル115および背面パネル121は股下継ぎ目147で一緒に結合されて、前記正面パネル115および背面パネル121の間で中央に広がる股領域149を形成し、また前記二つのパネルは一つのウエスト開口184、および前記股領域149の両側に二つの脚部開口186,188を形成するトランクスカバー114と；長手方向に離間し且つ長手方向端部135,137で終端する正面ウエストバンド領域120および背面ウエストバンド領域122、この正面ウエストバンド領域120と背面ウエストバンド領域122との間の股領域149、並びに一対の側部パネル126,128を有すると共に、一つのウエスト開口134および二つの脚部開口130,132を有するパンツ構造体112と；ウエスト弾性メンバー143,145とを具備し、前記トランクスカバー114における前記正面パネル115のウエスト領域131および前記背面パネル121のウエスト領域133は、前記正面ウエストバンド量いい気120および背面ウエストバンド領域122に再結合不能に結合されており、これらウエストバンド領域は、前記パネル115,121と該ウエストバンド領域120,122との間に配置された前記ウエスト弾性メンバー143,145を有する使い捨て衣類に関する110。
本発明は、更に、バックシート158、身体側ライナー156および吸収性コア160を有する排泄物閉じ込め構造体142を具備する。前記パンツ構造体112の側部パネル126,128は、弾性要素を含んでいる。
本発明は、二つの側縁117,159、これら側縁117,159の間に位置するウエスト領域161および反対側の底部縁163を有する右正面パネル153と、二つの側縁119,165、これら側縁119,165の間に位置するウエスト領域167および反対側の底部縁169を有する左正面パネル153と、二つの側縁123,171、これら側縁123,171の間に位置するウエスト領域173および反対側の底部縁175を有する右背面パネル155と、二つの側縁125,177、これら側縁125,177の間に位置するウエスト領域179および反対側の底部縁181を有する左背面パネル157とを有するトランクスカバー114であって、前記側縁117および123／119および125／159および165／171および177は結合されて側部継ぎ目187,189および中央継ぎ目183,185を形成し、前記二つの正面パネル151,153および二つの背面パネル155,157は股下継ぎ目147で一緒に結合されて、前記正面パネルおよび背面パネル151,153,155,157の間で中央に広がる股領域149を形成し、また前記二つのパネルは一つのウエスト開口134、および前記股領域149の両側に二つの脚部開口193,195を形成するトランクスカバー114と；長手方向に離間し且つ長手方向端部135,137で終端する正面ウエストバンド領域120および背面ウエストバンド領域122、この正面ウエストバンド領域120と背面ウエストバンド領域122との間の股領域124、並びに一対の側部パネル126,128を有すると共に、一つのウエスト開口134および二つの脚部開口130,132を有するパンツ構造体112と；ウエスト弾性メンバー143,145とを具備し、前記トランクスカバー114における前記正面パネル151,153のウエスト領域161,167および前記背面パネル155,157のウエスト領域173,179は、正面ウエストバンド領域120および背面ウエストバンド領域122に再結合不能に結合されており、これらウエストバンド領域は、前記パネル151,153,155,157と該ウエストバンド領域120,122との間に配置された前記ウエスト弾性メンバー143,145を有する使い捨て衣類110。
本発明のもう一つの態様は、ショーツ衣類を製造するための連続的方法であって：
ａ．ファブリック3の各ウエッブに二つの側縁（117,119,123,125,159,165,171,177）が含まれる、ファブリック3の四つの単層ウエッブ（151,153,155,157）を準備することと；
ｂ．前記四つのウエッブ（151,153,155,157）のうちの二つを、並行した向きに配置することと；
ｃ．この二つの各ウエッブ151,153における一方の側縁159,166を並行した向きで一緒に接合して、股下継ぎ目147の少なくとも一部および第一の複合ウエッブを形成することと；
ｄ．前記四つのウエッブ（151,153,155,157）のうちの残りの二つを、並行した向きに配置することと；
ｅ．この二つの各ウエッブ155,157における一方の側縁171,177を並行した向きで一緒に接合して、股下継ぎ目147の少なくとももう一つの部分および第二の複合ウエッブを形成することと；
ｆ．前記第一および第二の複合ウエッブを、両者が対面した向きに整列させて、二つのファブリック層、二つの頂部側縁117,123および二つの底部側縁119,126を有する配置を形成することと；
ｇ．前記二つの複合ウエッブを間欠的に接合し、その際に、該接合はウエッブの中央付近で交互に変化する向きで達成され、特定の形状を有する中央継ぎ目183,185およびその内側のファブリック部分が形成されることと；
ｈ．前記ファブリック3の内側部分を除去して、人間の身体を収容する正面から背面への外形を有するキャビティーを形成することと；
ｉ．前記側縁の一方の対117,123を一緒に折り畳むことと；
ｊ．前記側縁の対を117,123接合して、少なくとも一つの側部継ぎ目127および筒状脚部構造192を形成することと；
ｋ．前記側縁の他方の対119,125を一緒に折り畳むことと；
ｌ．前記側縁の他方の対119,125を接合して、少なくとももう一つの側部継ぎ目129およびもう一つの筒状脚部構造194を形成することと；
ｍ．前記ファブリック3を切断して、個別の衣類サイズのファブリック片を形成し、その際、個々のファブリック片は、少なくとも二つの側部継ぎ目127,129、股下継ぎ目147、二つの筒状脚部構造192,194、および一つのウエスト開口134を含むこととを具備する方法に関する。
この連続的方法は，更に、ファブリック3の全ての異なった衣類サイズのファブリック片を裏返すことにより、衣類サイズのファブリック片をスタックする前に、同じ向きを持った衣類サイズのファブリック片を与えることを具備する。
或いは、ファブリック3の全ての異なった衣類サイズのファブリック片を第二のスタックの中に置くことを具備する。
本発明のもう一つの態様は、ショーツ衣類を製造するための連続的方法であって：
ａ．ファブリック3の各ウエッブに二つの側縁（117,119,123,125,159,165,171,177）が含まれる、ファブリック3の四つの多層ラミネートウエッブ（151,153,155,157）を準備することと；
ｂ．前記四つのウエッブ（151,153,155,157）のうちの二つを、並行した向きに配置することと；
ｃ．この二つの各ウエッブ151,153における一方の側縁159,165を並行した向きで一緒に接合して、股下継ぎ目147の少なくとも一部および第一の複合ウエッブを形成することと；
ｄ．前記四つのウエッブ（151,153,155,157）のうちの残りの二つを、並行した向きに配置することと；
ｅ．この二つの各ウエッブ155,157における一方の側縁171,177を並行した向きで一緒に接合して、股下継ぎ目147の少なくとももう一つの部分および第二の複合ウエッブを形成することと；
ｆ．前記第一および第二の複合ウエッブを、両者が対面した向きに整列させて、二層のファブリック多層ラミネート、一対の頂部側線117,123および一対の底部側縁119,126を有する配置を形成することと；
ｇ．前記二つのウエッブを間欠的に接合し、その際に、該接合は単一のウエッブの中央付近で交互に変化する向きで達成され、特定の形状を有する中央継ぎ目183,185およびファブリック3の内側部分が形成されることと；
ｈ．前記ファブリック3の内側部分を除去して、人間の身体を収容する正面から背面への外形を有するキャビティーを形成することと；
ｉ．前記側縁の一方の対117,123を一緒に折り畳むことと；
ｊ．前記側縁の対117,123を接合して、少なくとも一つの側部継ぎ目127および筒状脚部構造192を形成することと；
ｋ．前記側縁の他方の対119,125を一緒に折り畳むことと；
ｌ．前記側縁の他方の対119,125を接合して、少なくとももう一つの側部継ぎ目129およびもう一つの筒状脚部構造194を形成することと；
ｍ．前記ファブリック3を切断して、個別の衣類サイズのファブリック片を形成し、その際、個々のファブリック片は、少なくとも二つの側部継ぎ目127,129、股下継ぎ目147、二つの筒状脚部構造192,194、および一つのウエスト開口134を含むこととを具備する方法に関する。
本発明はまた、ショーツ衣類を製造するための連続的方法であって：
ａ．ファブリック3の各ウエッブ151,153に二つの側縁（117,119,123,125）が含まれるファブリック3の二つの単層ウエッブ151,153を準備することと；
ｂ．前記二つのウエッブ151,153を、両者が対面した向きに整列させて、二つのファブリック層、一対の頂部側縁117,123および一対の底部側縁119,126を有する配置を形成することと；
ｃ．前記二つのウエッブ151,153を間欠的に接合し、その際に、該接合はファブリック3の中央付近で交互に変化する向きで達成され、特定の形状を有する中央継ぎ目183,185およびファブリック3の内側部分が形成されることと；
ｄ．前記ファブリック3の内側部分を除去して、人間の身体を収容する正面から背面への外形を有するキャビティーを形成することと；
ｅ．前記側縁の一方の対117,123を一緒に折り畳むことと；
ｆ．前記側縁の対117,123を接合して、少なくとも一つの側部継ぎ目127および筒状脚部構造192を形成することと；
ｇ．前記側縁の他方の対119,125を一緒に折り畳むことと；
ｈ．前記側縁の他方の対119,125を接合して、少なくとももう一つの側部継ぎ目129およびもう一つの筒状脚部構造194を形成することと；
ｉ．前記ファブリック3を切断して、個別の衣類サイズのファブリック片を形成し、その際、個々のファブリック片は、少なくとも二つの側部継ぎ目127,129、股下継ぎ目147、二つの筒状脚部構造192,194、および一つのウエスト開口134を含むこととを具備する方法に関する。
本発明の一つの態様は、ショーツ衣類を製造するための連続的方法であって：
ａ．ファブリック3の各ウエッブ151,153に二つの側縁（117,119,123,125）が含まれる、二つのファブリック多層ラミネートウエッブ151,153を準備することと；
ｂ．前記二つのウエッブ151,153を、両者が対面した向きに整列させて、二層のファブリック多層ラミネート、一対の頂部側縁117,123および一対の底部側縁119,125を有する配置を形成することと；
ｃ．前記二つのウエッブ151,153を間欠的に接合し、その際に、該接合はファブリック３の中央付近で交互に変化する向きで達成され、特定の形状を有する中央継ぎ目183,186およびファブリック3の内側部分が形成されることと；
ｄ．前記ファブリック3の内側部分を除去して、人間の身体を収容する正面から背面への外形を有するキャビティーを形成することと；
ｅ．前記側縁の一方の対117,123を一緒に折り畳むことと；
ｆ．前記側縁の対117,123を接合して、少なくとも一つの側部継ぎ目127および筒状脚部構造192を形成することと；
ｇ．前記側縁の他方の対119,125を一緒に折り畳むことと；
ｈ．前記側縁の他方の対119,125を接合して、少なくとももう一つの側部継ぎ目129およびもう一つの筒状脚部構造194を形成することと；
ｉ．前記ファブリック3を切断して、個別の衣類サイズのファブリック片を形成し、その際、個々のファブリック片は、少なくとも二つの側部継ぎ目127,129、股下継ぎ目147、二つの筒状脚部構造192,194、および一つのウエスト開口134を含むこととを具備する方法。
本発明はまた、ショーツ衣類を製造するための連続的方法であって：
ａ．ファブリック3の一つの単層ウエッブを準備することと；
ｂ．前記ウエッブを長さ方向に分割することにより、ファブリック3の各ウエッブ151,153に二つの側縁（117,119,123,125）が含まれるファブリック3の二つの単層ウエッブ151,153を形成することと；
ｃ．前記二つのウエッブ151,153を、両者が対面した向きに整列させて、二つのファブリック層、一対の頂部側縁117,123および一対の底部側縁119,125を有する配置を形成することと；
ｄ．前記二つのウエッブ151,153を間欠的に接合し、その際に、該接合はファブリック3の中央付近で交互に変化する向きで達成され、特定の形状を有する中央継ぎ目183,186およびファブリック3の内側部分が形成されることと；
ｅ．前記ファブリック3の内側部分を除去して、人間の身体を収容する正面から背面への外形を有するキャビティーを形成することと；
ｆ．前記側縁の一方の対117,123を一緒に折り畳むことと；
ｇ．前記側縁の対117,123を接合して、少なくとも一つの側部継ぎ目127および筒状脚部構造192を形成することと；
ｈ．前記側縁の他方の対119,125を一緒に折り畳むことと；
ｉ．前記側縁の他方の対119,125を接合して、少なくとももう一つの側部継ぎ目129およびもう一つの筒状脚部構造194を形成することと；
ｊ．前記ファブリック3を切断して、個別の衣類サイズのファブリック片を形成し、その際、個々のファブリック片は、少なくとも二つの側部継ぎ目127,129、股下継ぎ目147、二つの筒状脚部構造192,194、および一つのウエスト開口134を含むこととを具備する方法。
本発明のもう一つの態様は、ショーツ衣類を製造するための連続的方法であって：
ａ．ファブリックの一つの多層ラミネートウエッブを準備することと；
ｂ．該ファブリックのウエッブを長さ方向に分割することにより、ファブリック3の各ウエッブ151,153に二つの側縁（117,119,123,125）が含まれる、ファブリック3の二つの単層ウエッブ151,153を形成することと；
ｃ．前記二つのウエッブ151,153を、両者が対面した向きに整列させて、二層のファブリック多層ラミネート、一対の頂部側縁117,123および一対の底部側縁119,125を有する配置を形成することと；
ｄ．前記二つのウエッブ151,153を間欠的に接合し、その際に、該接合はファブリック3の中央付近で交互に変化する向きで達成され、特定の形状を有する中央継ぎ目183,185およびファブリック3の内側部分が形成されることと；
ｅ．前記ファブリック3の内側部分を除去して、人間の身体を収容する正面から背面への外形を有するキャビティーを形成することと；
ｆ．前記側縁の一方の対117,123を一緒に折り畳むことと；
ｇ．前記側縁の対117,123を接合して、少なくとも一つの側部継ぎ目127および筒状脚部構造192を形成することと；
ｈ．前記側縁の他方の対119,125を一緒に折り畳むことと；
ｉ．前記側縁の他方の対119,125を接合して、少なくとももう一つの側部継ぎ目129およびもう一つの筒状脚部構造194を形成することと；
ｊ．前記ファブリック3を切断して、個別の衣類サイズのファブリック片を形成し、その際、個々のファブリック片は、少なくとも二つの側部継ぎ目127,129、股下継ぎ目147、二つの筒状脚部構造192,194、および一つのウエスト開口134を含むこととを具備する方法に関する。
以上の詳細な説明は、例示目的のためのものである。従って、本発明の精神および範囲を逸脱することなく、多くの変形および変更を行うことが可能である。例えば、一つの実施例の一部として説明した別法および任意の特徴を使用して、別の実施例を構成することができる。加えて、排泄物閉じ込め構造の両端ではなく、一端のみをカバーに弾性的に結合してもよい。従って、本発明は説明した特定の実施例によって制限されるものではなく、請求の範囲によってのみ制限される。
衣類10およびトランクス衣類110を製造する材料は、使用者または製造業者が特別に所望する如何なる材料であってもよい。衣類10およびトランクス衣類110の作製に使用される多くの例は、本明細書の一部をなす参照として本願に組み込まれる上記で述べた米国特許および特許出願に記載されている。
【図１】
0004538855.tif 000002
【図２】
0004538855.tif 000003
【図３】
0004538855.tif 000004
【図４】
0004538855.tif 000005
【図５】
0004538855.tif 000006
【図６】
0004538855.tif 000007
【図７】
0004538855.tif 000008
【図８】
0004538855.tif 000009